(57)【要約】【課題】複数の蓄電池システムのうち特定の蓄電池システムに放電や充電が偏ることを効果的に防止することが可能な電力供給システムを提供する。【解決手段】住宅へと電力を供給可能である複数の住宅用蓄電池システムを具備し、住宅用蓄電池システムは、動作モードとして放電モード又は停止モードを実行可能であり、住宅用蓄電池システム充放電に関する少なくとも２種類以上の情報（例えば、積算放電電力量、１日の充放電効率、積算充電電力量）を取得し、取得した情報のそれぞれに対してポイントを付与する共に、付与したポイントを合計することによって複数の住宅用蓄電池システムを優先順位づけるための合計ポイントを算出し、複数の住宅用蓄電池システムのうち、算出した合計ポイントが最も高い一の蓄電池システムを優先順位の最上位として放電モードとし、その他の蓄電池システムを停止モードとする。【選択図】図９
2018023260.tif 000002
【特許請求の範囲】
【請求項１】
電力を充放電可能であって負荷へと電力を供給可能であると共に動作に関する複数の動作モードを実行可能な複数の蓄電池システムと、
前記蓄電池システムの前記動作モードを切り替える制御部と、
を具備し、
前記蓄電池システムは、
前記動作モードとして前記負荷の要求に応じて放電可能とする放電モード、又は放電不可能とする停止モードを実行可能であり、
前記制御部は、
前記蓄電池システムの充放電に関する少なくとも２種類以上の情報を取得し、
取得した前記情報のそれぞれに対して第一の点数を付与する共に、付与した前記第一の点数を用いた所定の演算によって複数の前記蓄電池システムを優先順位づけるための第二の点数を算出し、
複数の前記蓄電池システムのうち、算出した前記第二の点数に基づいて一の蓄電池システムを前記優先順位の最上位として前記放電モードとし、その他の蓄電池システムを前記停止モードとする、
電力供給システム。
【請求項２】
前記２種類以上の情報には、前記蓄電池システムの充放電効率が含まれる、
請求項１に記載の電力供給システム。
【請求項３】
前記制御部は、
前記一の蓄電池システムの充放電効率が複数の前記蓄電池システムの中で最も悪い場合には、前記停止モードである前記その他の蓄電池システムのうち、前記優先順位の最上位の前記蓄電池システムを前記放電モードとする、
請求項１又は請求項２に記載の電力供給システム。
【請求項４】
前記放電モードである前記一の蓄電池システムからの電力が前記負荷の要求に対して不足する場合に前記負荷へと電力を供給する不足電力供給システムを具備し、
前記制御部は、
前記不足電力供給システムから前記負荷へと電力が供給されている場合、
前記停止モードである前記その他の蓄電池システムのうち、前記優先順位の最上位の前記蓄電池システムを前記放電モードとする、
請求項１から請求項３までのいずれか一項に記載の電力供給システム。
【請求項５】
複数の前記蓄電池システムは、前記不足電力供給システムよりも前記負荷側に接続される、
請求項４に記載の電力供給システム。
【発明の詳細な説明】
【技術分野】
【０００１】
本発明は、電力を充放電可能な複数の蓄電池システムを具備する電力供給システムの技術に関する。
【背景技術】
【０００２】
従来、電力を充放電可能な複数の蓄電池システムを具備する電力供給システムの技術は公知となっている。例えば、特許文献１に記載の如くである。
【０００３】
特許文献１に記載の電力供給システムは、電力を充放電可能な複数の蓄電池システムを有している。このような電力供給システムにおいては、複数の蓄電池システムからの電力を負荷へと供給することができる。すなわち、１つの蓄電池システムだけでは得ることが困難な電力量を、負荷へと供給することができる。
【０００４】
また、特許文献１に記載の電力供給システムにおいては、蓄電池の充電状態（電力を蓄積可能な定格容量に対して蓄積されている充電残量の割合）や充電回数に基づいて、負荷へと電力を供給するための蓄電池システムを決定している。これによって、複数の蓄電池システムのうち、特定の蓄電池システムに放電や充電が偏ることを防止している。
【先行技術文献】
【特許文献】
【０００５】
【特許文献１】特開２０１３−１７９７２９号公報
【発明の概要】
【発明が解決しようとする課題】
【０００６】
しかし、負荷へと電力を供給するための蓄電池システムを決定するために、単純に蓄電池の充電残量の割合や充電回数に基づくことは、特定の蓄電池システムに放電や充電が偏ることを防止するのに不十分であった。
【０００７】
本発明は、以上の如き状況を鑑みてなされたものであり、その解決しようとする課題は複数の蓄電池システムのうち特定の蓄電池システムに放電や充電が偏ることを効果的に防止することが可能な電力供給システムを提供するものである。
【課題を解決するための手段】
【０００８】
本発明の解決しようとする課題は以上の如くであり、次にこの課題を解決するための手段を説明する。
【０００９】
即ち、請求項１においては、電力を充放電可能であって負荷へと電力を供給可能であると共に動作に関する複数の動作モードを実行可能な複数の蓄電池システムと、前記蓄電池システムの前記動作モードを切り替える制御部と、を具備し、前記蓄電池システムは、前記動作モードとして前記負荷の要求に応じて放電可能とする放電モード、又は放電不可能とする停止モードを実行可能であり、前記制御部は、前記蓄電池システムの充放電に関する少なくとも２種類以上の情報を取得し、取得した前記情報のそれぞれに対して第一の点数を付与する共に、付与した前記第一の点数を用いた所定の演算によって複数の前記蓄電池システムを優先順位づけるための第二の点数を算出し、複数の前記蓄電池システムのうち、算出した前記第二の点数に基づいて一の蓄電池システムを前記優先順位の最上位として前記放電モードとし、その他の蓄電池システムを前記停止モードとするものである。
【００１０】
請求項２においては、前記２種類以上の情報には、前記蓄電池システムの充放電効率が含まれるものである。
【００１１】
請求項３においては、前記制御部は、前記一の蓄電池システムの充放電効率が複数の前記蓄電池システムの中で最も悪い場合には、前記停止モードである前記その他の蓄電池システムのうち、前記優先順位の最上位の前記蓄電池システムを前記放電モードとするものである。
【００１２】
請求項４においては、前記放電モードである前記一の蓄電池システムからの電力が前記負荷の要求に対して不足する場合に前記負荷へと電力を供給する不足電力供給システムを具備し、前記制御部は、前記不足電力供給システムから前記負荷へと電力が供給されている場合、前記停止モードである前記その他の蓄電池システムのうち、前記優先順位の最上位の前記蓄電池システムを前記放電モードとするものである。
【００１３】
請求項５においては、複数の前記蓄電池システムは、前記不足電力供給システムよりも前記負荷側に接続されるものである。
【発明の効果】
【００１４】
本発明の効果として、以下に示すような効果を奏する。
【００１５】
本発明においては、複数の蓄電池システムのうち特定の蓄電池システムに放電や充電が偏ることを効果的に防止することができる。
【図面の簡単な説明】
【００１６】
【図１】第一実施形態に係る電力供給システムの構成を示したブロック図。
【図２】同じく、通常モードが実行された場合における電力の供給態様の一例を示したブロック図。
【図３】同じく、均等モードが実行された場合におけるＥＭＳによる事前設定の処理のうち、第一の事前設定の処理を示したフローチャート。
【図４】同じく、均等モードが実行された場合におけるＥＭＳによる事前設定の処理のうち、第二の事前設定の処理を示したフローチャート。
【図５】同じく、積算放電電力量の順位及びそのポイントを示した図。
【図６】同じく、１日の充放電効率の順位及びそのポイントを示した図。
【図７】同じく、積算充電電力量の順位及びそのポイントを示した図。
【図８】同じく、合計ポイントの順位、放電優先順位及びモード設定を示した図。
【図９】同じく、放電優先順位の設定の一例を示した図。
【図１０】同じく、均等モードが実行された場合におけるＥＭＳによる第一実施形態に係る蓄電池システム動作の処理を示したフローチャート。
【図１１】同じく、各住宅用蓄電池システムに対する放電優先順位の設定の一例を示した図。
【図１２】同じく、均等モードが実行された場合における電力の供給態様の一例を示したブロック図。
【図１３】同じく、均等モードが実行された場合におけるＥＭＳによる第二実施形態に係る蓄電池システム動作の処理を示したフローチャート。
【図１４】同じく、均等モードが実行された場合におけるＥＭＳによる第三実施形態に係る蓄電池システム動作の処理を示したフローチャート。
【図１５】同じく、均等モードが実行された場合におけるＥＭＳによる第四実施形態に係る蓄電池システム動作の処理を示したフローチャート。
【図１６】第二実施形態に係る電力供給システムの構成を示したブロック図。
【図１７】同じく、均等モードが実行された場合におけるＥＭＳによる第五実施形態に係る蓄電池システム動作の処理を示したフローチャート。
【図１８】同じく、均等モードが実行された場合におけるＥＭＳによる第六実施形態に係る蓄電池システム動作の処理を示したフローチャート。
【図１９】同じく、図１８の続きを示したフローチャート。
【図２０】均等モードが実行された場合におけるＥＭＳによる事前設定の処理のうち、別実施形態に係る第二の事前設定の処理を示したフローチャート。
【図２１】同じく、放電優先順位の設定の一例を示した図。
【発明を実施するための形態】
【００１７】
以下では、図１を用いて、第一実施形態に係る電力供給システム１について説明する。
【００１８】
電力供給システム１は、複数の戸建住宅（住宅Ｈ）からなる住宅街区Ｔ（住宅Ｈの集合体）に適用することを想定している。具体的には、住宅街区Ｔには、複数の（戸建）住宅Ｈとして、第一住宅Ｈ１、第二住宅Ｈ２、・・、第Ｎ住宅ＨＮが設けられる。住宅街区Ｔにおいては、電力小売事業者が電力会社（系統電源Ｓ）から電力を一括購入し、当該購入した電力が各住宅Ｈに適宜供給（売却）される。
【００１９】
電力供給システム１は、電力小売事業者が電力会社から一括購入した電力を、複数の住宅Ｈ（第一住宅Ｈ１、第二住宅Ｈ２、・・、第Ｎ住宅ＨＮ）間で適宜供給（融通）するためのシステムである。電力供給システム１は、主としてセンサ部１０、複数の住宅用蓄電池システム２０（第一住宅用蓄電池システム２１、第二住宅用蓄電池システム２２、・・、第Ｎ住宅用蓄電池システム２Ｎ）、共用蓄電池システム３０及びＥＭＳ４０を具備する。
【００２０】
複数の住宅Ｈ（第一住宅Ｈ１、第二住宅Ｈ２、・・、第Ｎ住宅ＨＮ）は、人が居住する建物である。各住宅Ｈには適宜の電気製品が設けられ、電力が消費される。
【００２１】
また、各住宅Ｈは、系統電源Ｓと接続される。具体的には、各住宅Ｈは、上流側端部が系統電源Ｓと接続されると共に下流側端部が分岐して各住宅Ｈと接続された配電線Ｌを介して、当該系統電源Ｓと接続される。
【００２２】
センサ部１０は、配電線Ｌを流通する電力を検出するものである。センサ部１０は、共用センサ１０Ｔ、第一センサ１１、第二センサ１２、・・、第Ｎセンサ１Ｎを具備する。
【００２３】
共用センサ１０Ｔ、第一センサ１１、第二センサ１２、・・、第Ｎセンサ１Ｎは、それぞれ配置箇所を流通する電力を検出するものである。共用センサ１０Ｔ、第一センサ１１、第二センサ１２、・・、第Ｎセンサ１Ｎは、それぞれ検出結果に関する信号を出力可能に構成される。共用センサ１０Ｔ、第一センサ１１、第二センサ１２、・・、第Ｎセンサ１Ｎは、それぞれ所定の蓄電池システムと対応するように設けられ、当該対応する住宅用蓄電池システムと電気的に接続される。
【００２４】
具体的には、共用センサ１０Ｔは、後述する共用蓄電池システム３０と電気的に接続される。また、第一センサ１１は、後述する第一住宅用蓄電池システム２１と電気的に接続される。また、第二センサ１２は、後述する第二住宅用蓄電池システム２２と電気的に接続される。また、第Ｎセンサ１Ｎは、後述する第Ｎ住宅用蓄電池システム２Ｎと電気的に接続される。
【００２５】
また、共用センサ１０Ｔ、第一センサ１１、第二センサ１２、・・、第Ｎセンサ１Ｎは、それぞれ配電線Ｌにおいて、前記対応する蓄電池システムが接続された連結点の直ぐ上流側に配置される。具体的には、共用センサ１０Ｔ、第一センサ１１、第二センサ１２、・・、第Ｎセンサ１Ｎは、それぞれ配電線Ｌにおいて、後述する共用連結点ＰＴ、第一連結点Ｐ１、第二連結点Ｐ２、・・、第Ｎ連結点ＰＮの直ぐ上流側に配置される。
【００２６】
複数の住宅用蓄電池システム２０（第一住宅用蓄電池システム２１、第二住宅用蓄電池システム２２、・・、第Ｎ住宅用蓄電池システム２Ｎ）は、系統電源Ｓからの電力を適宜充放電するためのシステムである。各住宅用蓄電池システム２０は、充放電可能な蓄電池や当該蓄電池の充放電を制御するパワーコンディショナ等を具備する。各住宅用蓄電池システム２０は、所定の住宅Ｈに対応するように設けられる（１つの住宅Ｈに対して、１つの住宅用蓄電池システム２０が設けられる）。各住宅用蓄電池システム２０は、前記所定の住宅Ｈ（住宅Ｈの住人）に所有されている。
【００２７】
また、各住宅用蓄電池システム２０は、配電線Ｌの中途部に接続される。具体的には、第一住宅用蓄電池システム２１、第二住宅用蓄電池システム２２、・・、第Ｎ住宅用蓄電池システム２Ｎは、それぞれ配電線Ｌの第一連結点Ｐ１、第二連結点Ｐ２、・・、第Ｎ連結点ＰＮに接続される。なお、第一連結点Ｐ１、第二連結点Ｐ２、・・、第Ｎ連結点ＰＮは、配電線Ｌにおいて下流側（前記複数の住宅側）から上流側（系統電源Ｓ側）へ向けて順番に配置されている。
【００２８】
また、各住宅用蓄電池システム２０は、所定の充電時間帯（例えば、２３時から７時までの間）に、系統電源Ｓからの電力が充電されるように構成される。こうして、深夜料金が適用された比較的安価な電力を各住宅用蓄電池システム２０に充電させ、当該充電させた電力を（深夜料金が適用されない）昼間の時間帯に放電させることにより、比較的高価な電力の購入量を減少させることができる。なお、各住宅用蓄電池システム２０に充電させた電力は、電力小売事業者が電力会社から一括購入した後の電力が分配されたものである。すなわち、各住宅用蓄電池システム２０に充電された電力の料金は、当該各住宅用蓄電池システム２０を所有する住人から電力小売事業者へと支払われる。
【００２９】
また、各住宅用蓄電池システム２０は、上述の如く、対応するセンサ部１０のセンサ（第一センサ１１、第二センサ１２、・・、第Ｎセンサ１Ｎ）と電気的に接続される。各住宅用蓄電池システム２０は、対応するセンサ部１０のセンサから出力された信号が入力され、当該入力された信号に基づいて当該センサの検出結果を取得可能に構成される。各住宅用蓄電池システム２０は、対応するセンサ部１０のセンサの検出結果に基づいて、放電（出力）する電力量を調整する負荷追従運転を行うことができる。
【００３０】
また、各住宅用蓄電池システム２０は、動作に関するモードとして、複数のモードを有している。前記複数のモードには、「放電モード」及び「停止モード」が含まれる。放電モードとは、各住宅Ｈの消費電力に応じて、各住宅用蓄電池システム２０が動作的に（放電可能な程度に蓄電池残量が残っているか否かを問わず）放電可能な状態となるモードである。また、停止モードとは、各住宅用蓄電池システム２０が動作的に放電不可能な状態となるモードである。
【００３１】
また、各住宅用蓄電池システム２０は、所定の期間（例えば、当該各住宅用蓄電池システム２０を設置してから現時点まで）の間に放電した電力量の総和である積算放電電力量を算出可能に構成される。なお、前記所定の期間は、各住宅用蓄電池システム２０を設置してから現時点までに限るものではなく、例えば直近の２４時間等であってもよく、任意に設定可能である。
【００３２】
また、各住宅用蓄電池システム２０は、所定の期間（例えば、当該各住宅用蓄電池システム２０を設置してから現時点まで）の間に充電した電力量の総和である積算充電電力量を算出可能に構成される。なお、前記所定の期間は、各住宅用蓄電池システム２０を設置してから現時点までに限るものではなく、例えば直近の２４時間等であってもよく、任意に設定可能である。
【００３３】
共用蓄電池システム３０は、系統電源Ｓからの電力を適宜充放電するためのシステムである。共用蓄電池システム３０は、充放電可能な蓄電池や当該蓄電池の充放電を制御するパワーコンディショナ等を具備する。共用蓄電池システム３０は、複数の住宅Ｈに共用されるように設けられる（複数の住宅Ｈに対して、１つの共用蓄電池システム３０が設けられる）。共用蓄電池システム３０は、電力小売事業者に所有されている。
【００３４】
また、共用蓄電池システム３０は、配電線Ｌの中途部に接続される。具体的には、共用蓄電池システム３０は、配電線Ｌの共用連結点ＰＴに接続される。なお、共用連結点ＰＴは、配電線Ｌにおいて第Ｎ連結点ＰＮよりも上流側（系統電源Ｓ側）に配置される。
【００３５】
また、共用蓄電池システム３０は、対応するセンサ部１０のセンサ（共用センサ１０Ｔ）と電気的に接続される。共用蓄電池システム３０は、共用センサ１０Ｔから出力された信号が入力され、当該入力された信号に基づいて当該共用センサ１０Ｔの検出結果を取得可能に構成される。共用蓄電池システム３０は、共用センサ１０Ｔの検出結果に基づいて、放電（出力）する電力量を調整する負荷追従運転を行うことができる。
【００３６】
ＥＭＳ４０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ４０は、ＲＡＭやＲＯＭ等の記憶部や、ＣＰＵ等の演算処理部、Ｉ／Ｏ等の入出力部等を具備する。ＥＭＳ４０は、所定の演算処理や記憶処理等を行うことができる。ＥＭＳ４０には、電力供給システム１の動作を制御する際に用いられる種々の情報やプログラム等が予め記憶される。
【００３７】
また、ＥＭＳ４０は、共用蓄電池システム３０及び各住宅用蓄電池システム２０と電気的に接続される。ＥＭＳ４０は、所定の信号を共用蓄電池システム３０及び各住宅用蓄電池システム２０に出力し、当該共用蓄電池システム３０及び各住宅用蓄電池システム２０の動作を制御することができる。また、ＥＭＳ４０は、共用蓄電池システム３０及び各住宅用蓄電池システム２０から所定の信号が入力可能に構成される。
【００３８】
こうして、ＥＭＳ４０は、共用蓄電池システム３０及び各住宅用蓄電池システム２０の動作に関する情報を取得することができる。具体的には、ＥＭＳ４０は、各住宅用蓄電池システム２０の積算放電電力量及び積算充電電力量を取得することができる。なお、ＥＭＳ４０は、後述するように、取得した積算放電電力量及び積算充電電力量を用いて所定の放電優先順位の設定等を行う。
【００３９】
また、ＥＭＳ４０は、共用蓄電池システム３０及び住宅用蓄電池システム２０が放電している（放電待機である）か否かの情報を取得することができる。また、ＥＭＳ４０は、共用蓄電池システム３０及び各住宅用蓄電池システム２０において系統電源Ｓから購入している電力量（買電量）を取得することができる。また、ＥＭＳ４０は、各住宅用蓄電池システム２０の蓄電池残量を取得することができる。
【００４０】
また、ＥＭＳ４０は、電力供給システム１の動作に関するモードとして、複数のモードを実行可能に構成される。前記複数のモードには、「通常モード」及び「均等モード」が含まれる。通常モードとは、複数の住宅用蓄電池システム２０における充放電量の偏りを許容するモードである。均等モードとは、複数の住宅用蓄電池システム２０における充放電量の偏りを抑制する（充放電量の均等化を図る）モードである。なお、通常モード及び均等モードの何れを実行するかは、例えば電力小売事業者によって適宜選択される。
【００４１】
以下では、通常モードが実行された場合における電力の供給（融通）態様について説明する。
【００４２】
系統電源Ｓからの電力は、各住宅Ｈの消費電力に応じて、配電線Ｌを介して当該各住宅Ｈに供給される。この場合、複数の蓄電池システム（共用蓄電池システム３０及び複数の住宅用蓄電池システム２０）のうち最も下流側に配置された第一住宅用蓄電池システム２１は、第一センサ１１の検出結果に基づいて負荷追従運転を行って、所定の電力量の電力を放電する。こうして、第一住宅用蓄電池システム２１から放電された電力は、各住宅Ｈへと供給される。なお、第一住宅用蓄電池システム２１から電力が放電されると、系統電源Ｓ側（より詳細には、第一住宅用蓄電池システム２１よりも系統電源Ｓ側に配置された電力の供給元）からの電力量が減少する。
【００４３】
また、各住宅Ｈの消費電力を第一住宅用蓄電池システム２１からの電力だけで賄えない場合には、不足する分の電力が系統電源Ｓ側（より詳細には、第一住宅用蓄電池システム２１よりも系統電源Ｓ側に配置された電力の供給元）から各住宅Ｈに供給される。こうして、不足する分の電力が、配電線Ｌを介して各住宅Ｈに供給される。この場合、複数の蓄電池システム（共用蓄電池システム３０及び複数の住宅用蓄電池システム２０）のうち、第一住宅用蓄電池システム２１よりも一つ上流側に配置された第二住宅用蓄電池システム２２は、第二センサ１２の検出結果に基づいて負荷追従運転を行って、所定の電力量の電力を放電している。こうして、第二住宅用蓄電池システム２２から放電された電力は、各住宅Ｈへと供給される。なお、各住宅Ｈの消費電力を、第一住宅用蓄電池システム２１及び第二住宅用蓄電池システム２２からの電力だけで賄えない場合には、不足する分の電力が系統電源Ｓ側（より詳細には、第二住宅用蓄電池システム２２よりも系統電源Ｓ側に配置された電力の供給元）から各住宅Ｈに供給される。
【００４４】
このように、通常モードが実行された場合においては、各住宅Ｈの消費電力が賄えない場合に、（放電可能な最大の値の電力が放電された）住宅用蓄電池システム２０よりも一つ上流側に配置された住宅用蓄電池システム２０からの電力が用いられる。このように、各住宅Ｈの消費電力に対して、複数の住宅用蓄電池システム２０のうち、下流側に配置された住宅用蓄電池システム２０から上流側に配置された住宅用蓄電池システム２０へと、それぞれ放電可能な最大の値の電力が順次放電されていく。
【００４５】
なお、第Ｎ住宅用蓄電池システム２Ｎから電力が放電されても各住宅Ｈの消費電力が賄えない場合には、共用蓄電池システム３０からの電力が放電される。そして、共用蓄電池システム３０から電力が放電されても各住宅Ｈの消費電力が賄えない場合には、系統電源Ｓから不足する分の電力が購入される（系統電源Ｓから購入された電力が、各住宅Ｈへと供給される）。
【００４６】
こうして、電力供給システム１においては、通常モードを実行した場合に、各住宅用蓄電池システム２０から放電された電力を、当該各住宅用蓄電池システム２０を所有する住人（住宅Ｈ）だけでなく、その他の住人（住宅Ｈ）へも供給することとなる。すなわち、電力小売事業者が電力会社から一括購入して、各住宅用蓄電池システム２０に充電させた電力（それぞれの住宅Ｈの住人が料金を支払った後の電力）を、複数の住宅Ｈ間で適宜融通することができる。
【００４７】
なお、上述の如く各住宅用蓄電池システム２０から放電された電力は、当該各住宅用蓄電池システム２０を所有する住人が電力小売事業者から購入したものである。このような構成においては、一の住宅用蓄電池システム２０に充電させた電力（当該一の住宅用蓄電池システム２０を所有する住人が電力小売事業者から購入した電力）を、他の住宅用蓄電池システム２０を所有する住宅Ｈ（住人）へと融通した場合、当該融通した電力量分の料金が、最終的に当該他の住宅Ｈの住人から一の住宅Ｈの住人へと支払われる。
【００４８】
ここで、通常モードが実行された場合においては、複数の住宅用蓄電池システム２０における充放電量に偏りが生じるため、問題が生じることがある。
【００４９】
具体的には、上述の如く、通常モードが実行された場合においては、各住宅Ｈの消費電力が賄えない場合に、下流側に配置された住宅用蓄電池システム２０から上流側に配置された住宅用蓄電池システム２０へとそれぞれ放電可能な最大の値の電力が順次放電されていくため、上流側よりも下流側に配置された住宅用蓄電池システム２０の方が放電量が多くなる。そのため、複数の住宅Ｈ間で電力が融通されたことによる料金（他の住宅Ｈの住人から一の住宅Ｈの住人へと支払われる料金）は、上流側よりも下流側に配置された住宅用蓄電池システム２０を所有する住人が多く得ることとなる。
【００５０】
例えば、図２に示すように、最も下流側に配置された第一住宅用蓄電池システム２１から放電された電力だけで各住宅Ｈの消費電力が賄えている場合には、その他の住宅用蓄電池システム２０（第二住宅用蓄電池システム２２や第Ｎ住宅用蓄電池システム２Ｎ等）から電力が放電されない。このような場合、複数の住宅Ｈ間で電力が融通されたことによる料金は、第一住宅用蓄電池システム２１を所有する第一住宅Ｈ１の住人だけが得ることとなる。
【００５１】
このように、通常モードが実行された場合においては、複数の住宅用蓄電池システム２０における放電量に偏りが生じるため、複数の住宅Ｈ（住人）間で得ることができる料金が不均等となり問題であった。また、放電量が増加するとそれに応じて充電量が増加することとなる。すなわち、複数の住宅用蓄電池システム２０における放電量に偏りが生じると、ひいては複数の住宅用蓄電池システム２０における充放電量に偏りが生じることとなる。このように複数の住宅用蓄電池システム２０における充放電量に偏りが生じると、複数の住宅用蓄電池システム２０における寿命（耐用年数）が不均等となり問題であった。
【００５２】
そこで、電力供給システム１においては、上述の如き問題を解決するため、均等モードを実行することができる。均等モードにおいては、通常モードにおける各住宅用蓄電池システム２０の動作（負荷追従運転）をベースとして、複数の住宅用蓄電池システム２０における充放電量の偏りを抑制するため補正（各住宅用蓄電池システム２０の放電に所定の放電優先順位を設ける等の処理）が行われる。
【００５３】
以下では、均等モードが実行された場合におけるＥＭＳ４０の処理について説明する。
【００５４】
均等モードが実行される場合、ＥＭＳ４０は、まず事前設定の処理を行い、その後に蓄電池システム動作の処理を行う。
【００５５】
事前設定の処理においては、ＥＭＳ４０は、放電優先順位の設定や、各住宅用蓄電池システム２０の動作に関するモードの設定を行う。また、蓄電池システム動作の処理においては、ＥＭＳ４０は、事前設定の処理で行われた設定に基づいて、各住宅用蓄電池システム２０を具体的に動作させる。なお、放電優先順位とは、各住宅用蓄電池システム２０のうち、どの住宅用蓄電池システム２０を優先的に放電させるのかを決定する判断基準となるものである。なお、事前設定の処理は、１日１回予め設定された時間（本実施形態においては、例えば２３時）に行われる。こうして、事前設定の処理が行われると、翌日における各住宅用蓄電池システム２０の放電優先順位の設定が行われる。なお、事前設定の処理は、最初に行われる第一の事前設定の処理と、前記第一の事前設定の処理の後に行われる第二の事前設定の処理と、を含む。
【００５６】
まず以下では、図３のフローチャートを用いて、均等モードが実行された場合におけるＥＭＳ４０による事前設定の処理のうち、第一の事前設定の処理について説明する。
【００５７】
ステップＳ１１において、ＥＭＳ４０は、各住宅用蓄電池システム２０の積算放電電力量を取得する。また、ＥＭＳ４０は、取得した積算放電電力量に関する情報を所定の記憶部に記憶する。ＥＭＳ４０は、ステップＳ１１の処理を実行した後、ステップＳ１２の処理を実行する。
【００５８】
ステップＳ１２において、ＥＭＳ４０は、各住宅用蓄電池システム２０の積算充電電力量を取得する。また、ＥＭＳ４０は、取得した積算充電電力量に関する情報を所定の記憶部に記憶する。ＥＭＳ４０は、ステップＳ１２の処理を実行した後、ステップＳ１３の処理を実行する。
【００５９】
ステップＳ１３において、ＥＭＳ４０は、所定の記憶部に記憶された前日の各住宅用蓄電池システム２０の積算放電電力量及び積算充電電力量と、当日の各住宅用蓄電池システム２０の積算放電電力量及び積算充電電力量と、の差を確認し、１日の情報にする。
【００６０】
具体的には、ＥＭＳ４０は、当日の各住宅用蓄電池システム２０の積算放電電力量から前日の各住宅用蓄電池システム２０の積算放電電力量を減算することにより、当日１日あたりの各住宅用蓄電池システム２０の放電電力量を算出する。
【００６１】
また、ＥＭＳ４０は、前日の各住宅用蓄電池システム２０の積算充電電力量から前々日の各住宅用蓄電池システム２０の積算充電電力量を減算することにより、前日１日あたりの各住宅用蓄電池システム２０の充電電力量を算出する。
【００６２】
こうして、ＥＭＳ４０は、ステップＳ１３の処理を実行した後、ステップＳ１４の処理を実行する。
【００６３】
ステップＳ１４において、ＥＭＳ４０は、ステップＳ１３にて算出した各住宅用蓄電池システム２０の放電電力量及び充電電力量に基づいて、１日の充放電効率を算出する。具体的には、ＥＭＳ４０は、各住宅用蓄電池システム２０の当日１日あたりの放電電力量を前日１日あたりの充電電力量で除算することにより、１日の充放電効率を算出する。
【００６４】
こうして、ＥＭＳ４０は、ステップＳ１４の処理を実行した後、事前設定の処理のうちの第一の事前設定の処理を終了する。
【００６５】
以上のように、ＥＭＳ４０による事前設定の処理のうち、第一の事前設定の処理においては、所定の演算を行うことによって、各住宅用蓄電池システム２０の１日の充放電効率を算出する。こうして、ＥＭＳ４０は、各住宅用蓄電池システム２０の１日の充放電効率を算出すると、次に第二の事前設定の処理を行う。
【００６６】
以下では、図４のフローチャート、図５から図８を用いて、均等モードが実行された場合におけるＥＭＳ４０による事前設定の処理のうち、第二の事前設定の処理について説明する。
【００６７】
ステップＳ２１において、ＥＭＳ４０は、第一の事前設定の処理にて取得した各住宅用蓄電池システム２０の積算放電電力量に関して、当該各住宅用蓄電池システム２０の順位付けを行う。また、ＥＭＳ４０は、前記順位付けに応じて、各住宅用蓄電池システム２０に積算放電電力量に関するポイント（積算放電電力量ポイント）を付与する。
【００６８】
具体的には、図５に示すように、ＥＭＳ４０は、各住宅用蓄電池システム２０に対して積算放電電力量が少ない順に第１位から第Ｎ位までの順位付けを行って、当該順位付けに応じて（すなわち、積算放電電力量が少ない順に）高いポイント（Ｎポイント、Ｎ−１ポイント、・・、２ポイント、１ポイント）を付与（設定）する。
【００６９】
こうして、ＥＭＳ４０は、ステップＳ２１の処理を実行した後、ステップＳ２２の処理を実行する。
【００７０】
ステップＳ２２において、ＥＭＳ４０は、第一の事前設定の処理にて算出された各住宅用蓄電池システム２０の１日の充放電効率に関して、当該各住宅用蓄電池システム２０の順位付けを行う。また、ＥＭＳ４０は、前記順位付けに応じて、各住宅用蓄電池システム２０に、１日の充放電効率に関するポイント（充放電効率ポイント）を付与する。
【００７１】
具体的には、図６に示すように、ＥＭＳ４０は、各住宅用蓄電池システム２０に対して１日の充放電効率が小さい順に第１位から第Ｎ位までの順位付けを行って、当該順位付けに応じて（すなわち、１日の充放電効率が小さい順に）高いポイント（Ｎポイント、Ｎ−１ポイント、・・、２ポイント、１ポイント）を付与（設定）する。
【００７２】
こうして、ＥＭＳ４０は、ステップＳ２２の処理を実行した後、ステップＳ２３の処理を実行する。
【００７３】
ステップＳ２３において、ＥＭＳ４０は、第一の事前設定の処理にて取得された各住宅用蓄電池システム２０の積算充電電力量に関して、当該各住宅用蓄電池システム２０の順位付けを行う。また、ＥＭＳ４０は、前記順位付けに応じて、各住宅用蓄電池システム２０に積算充電電力量に関するポイント（積算充電電力量ポイント）を付与する。
【００７４】
具体的には、図７に示すように、ＥＭＳ４０は、各住宅用蓄電池システム２０に対して積算充電電力量が少ない順に第１位から第Ｎ位までの順位付けを行って、当該順位付けに応じて（すなわち、積算充電電力量が少ない順に）高いポイント（Ｎポイント、Ｎ−１ポイント、・・、２ポイント、１ポイント）を付与（設定）する。
【００７５】
こうして、ＥＭＳ４０は、ステップＳ２３の処理を実行した後、ステップＳ２４の処理を実行する。
【００７６】
ステップＳ２４において、ＥＭＳ４０は、ステップＳ２１にて設定された積算放電電力量ポイントと、ステップＳ２２にて設定された充放電効率ポイントと、ステップＳ２３にて設定された積算充電電力量ポイントと、を合計すると共に、合計したポイント（合計ポイント）に基づいて、各住宅用蓄電池システム２０の放電優先順位を設定する。具体的には、図８に示すように、ＥＭＳ４０は、各住宅用蓄電池システム２０に対して、合計ポイントの高い順に第１位から第Ｎ位までの放電優先順位（第１位、第２位、・・・、第Ｎ位）を設定する。
【００７７】
こうして、ＥＭＳ４０は、ステップＳ２４の処理を実行した後、ステップＳ２５の処理を実行する。
【００７８】
ステップＳ２５において、図８に示すように、ＥＭＳ４０は、ステップＳ２４にて設定した放電優先順位に基づいて、最上位（第１位）の住宅用蓄電池システム２０を放電モードに設定し、その他（第２位、・・、第Ｎ−１位、第Ｎ位）の住宅用蓄電池システム２０を停止モードに設定する。
【００７９】
こうして、ＥＭＳ４０は、ステップＳ２５の処理を実行した後、事前設定の処理のうちの第二の事前設定の処理を終了する。
【００８０】
以上のように、ＥＭＳ４０による事前設定の処理のうち、第二の事前設定の処理においては、所定の演算を行うことによって、各住宅用蓄電池システム２０に対して放電優先順位を設定すると共に、設定した放電優先順位に基づいて各住宅用蓄電池システム２０のモード（放電モード又は停止モード）の設定を行う。
【００８１】
ここで、図９を用いて、第二の事前設定の処理による各住宅用蓄電池システム２０の放電優先順位の設定の一例について説明する。
【００８２】
なお、図９では便宜上、住宅用蓄電池システム２０は４つ設けられたものとして説明を行う。また、前記４つ設けられた住宅用蓄電池システム２０を、「第一住宅用蓄電池システム２０１」、「第二住宅用蓄電池システム２０２」、「第三住宅用蓄電池システム２０３」及び「第四住宅用蓄電池システム２０４」とそれぞれ称する。
【００８３】
まず、第一の事前設定の処理にて取得した各住宅用蓄電池システム２０の積算放電電力量に関して、当該各住宅用蓄電池システム２０の順位付けが行われる（ステップＳ２１）。ここで、図９に示す一例においては、各住宅用蓄電池システム２０の積算放電電力量の順位が、（電力量の少ない順で）第一住宅用蓄電池システム２０１が第１位、第三住宅用蓄電池システム２０３が第２位、第四住宅用蓄電池システム２０４が第３位、第二住宅用蓄電池システム２０２が第４位であるものとする。
【００８４】
このような場合、この順位付けに応じて、第一住宅用蓄電池システム２０１・第三住宅用蓄電池システム２０３・第四住宅用蓄電池システム２０４・第二住宅用蓄電池システム２０２に対して、第積算放電電力量ポイントとして４・３・２・１ポイントがそれぞれ設定される。
【００８５】
次に、第一の事前設定の処理にて算出された各住宅用蓄電池システム２０の１日の充放電効率に関して、当該各住宅用蓄電池システム２０の順位付けが行われる（ステップＳ２２）。ここで、図９に示す一例においては、各住宅用蓄電池システム２０の１日の充放電効率が、第一住宅用蓄電池システム２０１で６５．２％、第二住宅用蓄電池システム２０２で９１．３％、第三住宅用蓄電池システム２０３で８０．０％、第四住宅用蓄電池システム２０４で７１．４％であるものとする。
【００８６】
このような場合、１日の充放電効率が小さかった順、すなわち第一住宅用蓄電池システム２０１・第四住宅用蓄電池システム２０４・第三住宅用蓄電池システム２０３・第二住宅用蓄電池システム２０２の順に第１位から第４位までの順位付けが行われ、この順位付けに応じて充放電効率ポイントとして４・３・２・１ポイントがそれぞれ設定される。
【００８７】
次に、第一の事前設定の処理にて取得した各住宅用蓄電池システム２０の積算充電電力量に関して、当該各住宅用蓄電池システム２０の順位付けが行われる（ステップＳ２３）。ここで、図９に示す一例においては、各住宅用蓄電池システム２０の積算充電電力量の順位が、（電力量の少ない順で）第一住宅用蓄電池システム２０１が第１位、第三住宅用蓄電池システム２０３が第２位、第二住宅用蓄電池システム２０２が第３位、第四住宅用蓄電池システム２０４が第４位であるものとする。
【００８８】
このような場合、この順位付けに応じて、第一住宅用蓄電池システム２０１・第三住宅用蓄電池システム２０３・第二住宅用蓄電池システム２０２・第四住宅用蓄電池システム２０４に対して、積算充電電力量ポイントとして４・３・２・１ポイントがそれぞれ設定される。
【００８９】
次に、上述の如く設定された各ポイント（積算放電電力量ポイント、充放電効率ポイント、積算充電電力量ポイント）が合計されると共に、合計されたポイント（合計ポイント）に基づいて、各住宅用蓄電池システム２０の放電優先順位が設定される（ステップＳ２４）。ここで、上述の如く設定された各ポイントが合計されると、合計ポイントが第一住宅用蓄電池システム２０１で１２ポイント、第二住宅用蓄電池システム２０２で４ポイント、第三住宅用蓄電池システム２０３で８ポイント、第四住宅用蓄電池システム２０４で６ポイントとなる。
【００９０】
また、放電優先順位は合計ポイントの高い順に高くなるため、合計ポイントが最も高い１２ポイントの第一住宅用蓄電池システム２０１が放電優先順位の第１位（最上位）となる。また、合計ポイントが２番目に高い８ポイントの第三住宅用蓄電池システム２０３が放電優先順位の第２位となる。また、合計ポイントが３番目に高い第四住宅用蓄電池システム２０４が放電優先順位の第３位となる。また、合計ポイントが最下位（４番目）の４ポイントの第二住宅用蓄電池システム２０２が放電優先順位の第４位となる。
【００９１】
次に、上述の如く設定された放電優先順位に基づいて、放電モード及び停止モードの設定が行われる。具体的には、図９に示す一例においては、最上位（第１位）の第一住宅用蓄電池システム２０１が放電モードに設定され、その他の第二住宅用蓄電池システム２０２・第三住宅用蓄電池システム２０３・第四住宅用蓄電池システム２０４が停止モードに設定される。
【００９２】
以下では、図１０のフローチャートを用いて、均等モードが実行された場合におけるＥＭＳ４０による第一実施形態に係る蓄電池システム動作の処理について説明する。
【００９３】
ステップＳ１１１において、ＥＭＳ４０は、共用蓄電池システム３０が放電しているか否かを判断する。ＥＭＳ４０は、共用蓄電池システム３０が放電していると判断すると（ステップＳ１１１でＹｅｓ）、ステップＳ１１２の処理を実行する。なお、共用蓄電池システム３０が放電している場合とは、放電モードに設定された（すなわち、動作的に放電可能な状態の）全ての住宅用蓄電池システム２０から電力が放電されても各住宅Ｈの消費電力が賄えない場合を示している。
【００９４】
ステップＳ１１２において、ＥＭＳ４０は、放電優先順位の１番低い住宅用蓄電池システム２０が放電モードに設定されているか否かを判断する。ＥＭＳ４０は、放電優先順位の１番低い住宅用蓄電池システム２０が放電モードに設定されていないと判断すると（ステップＳ１１２でＮｏ）、ステップＳ１１３の処理を実行する。なお、放電優先順位の１番低い住宅用蓄電池システム２０が放電モードに設定されていない場合とは、停止モードに設定された住宅用蓄電池システム２０が存在している場合を示している。
【００９５】
ステップＳ１１３において、ＥＭＳ４０は、現在停止モードに設定されている住宅用蓄電池システム２０のうち、最も放電優先順位の高い住宅用蓄電池システム２０を放電モードに変更する。こうして、ＥＭＳ４０は、放電モードに設定された住宅用蓄電池システム２０の数を増加させ、ひいては放電モードに設定された全ての住宅用蓄電池システム２０からの電力量を増加させる。ＥＭＳ４０は、ステップＳ１１３の処理を実行した後、ステップＳ１１４の処理を実行する。
【００９６】
このように、放電モードに設定された全ての住宅用蓄電池システム２０から電力が放電されても各住宅Ｈの消費電力が賄えない場合（ステップＳ１１１でＹｅｓ）であって、且つ停止モードに設定された住宅用蓄電池システム２０が存在している場合（ステップＳ１１２でＮｏ）には、放電モードに設定された住宅用蓄電池システム２０の数を増加させることによって、放電モードに設定された全ての住宅用蓄電池システム２０からの電力量を増加させることができる（ステップＳ１１３）。
【００９７】
ステップＳ１１４において、ＥＭＳ４０は、共用蓄電池システム３０が放電待機であるか否かを判断する。ＥＭＳ４０は、共用蓄電池システム３０が放電待機ではないと判断すると（ステップＳ１１４でＮｏ）、再びステップＳ１１２の処理を実行する。なお、共用蓄電池システム３０が放電待機ではない場合とは、放電モードに設定された全ての住宅用蓄電池システム２０から電力が放電されても各住宅Ｈの消費電力が賄えない場合（共用蓄電池システム３０も電力を放電している場合）を示している。
【００９８】
このような場合、ＥＭＳ４０は、再びステップＳ１１２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【００９９】
また、ステップＳ１１４において、ＥＭＳ４０は、共用蓄電池システム３０が放電待機であると判断すると（ステップＳ１１４でＹｅｓ）、蓄電池システム動作の処理を終了する。なお、共用蓄電池システム３０が放電待機である場合とは、放電モードに設定された各住宅用蓄電池システム２０から放電された電力によって、各住宅Ｈの消費電力が賄えている場合（共用蓄電池システム３０が放電する必要がない場合）を示している。
【０１００】
また、ステップＳ１１２において、ＥＭＳ４０は、放電優先順位の１番低い住宅用蓄電池システム２０が放電モードに設定されていると判断すると（ステップＳ１１２でＹｅｓ）、蓄電池システム動作の処理を終了する。なお、放電優先順位の１番低い住宅用蓄電池システム２０が放電モードに設定されている場合とは、停止モードに設定された住宅用蓄電池システム２０が存在していない場合を示している。
【０１０１】
このような場合、ＥＭＳ４０は、放電モードに設定された住宅用蓄電池システム２０の数を増加させることができないため、放電モードに設定された全ての住宅用蓄電池システム２０からの電力量を増加させることもできない。こうして、放電優先順位の１番低い住宅用蓄電池システム２０が放電モードに設定されている場合には、系統電源Ｓから不足する分の電力が購入され、当該購入された電力が各住宅Ｈへと供給される。
【０１０２】
また、ステップＳ１１１において、ＥＭＳ４０は、共用蓄電池システム３０が放電していないと判断すると（ステップＳ１１１でＮｏ）、蓄電池システム動作の処理を終了する。なお、共用蓄電池システム３０が放電していない場合とは、放電モードに設定された各住宅用蓄電池システム２０から放電された電力によって、各住宅Ｈの消費電力が賄えている場合（共用蓄電池システム３０が放電する必要がない場合）を示している。
【０１０３】
このように、第一実施形態に係る蓄電池システム動作の処理により、住宅用蓄電池システム２０の動作（放電）を制御することによって、複数の住宅用蓄電池システム２０における放電量の偏り（積算放電電力量の偏り）の解消を図ることができる（特定の住宅用蓄電池システム２０に放電や充電が偏るのを効果的に防止することができる）。こうして、複数の住宅用蓄電池システム２０における充放電量に生じた偏りの解消を図ることによって、複数の住宅Ｈ（住人）間で得ることができる料金の均等化を図ることができる。また、複数の住宅用蓄電池システム２０における寿命（耐用年数）の均等化を図ることができる。以下において、図１１及び１２を用いて具体的に説明する。
【０１０４】
ここで、図１１は、上述の如く事前設定の処理において設定された放電順位の一例を示している。また、図１２は、図１１に示した放電優先順位の一例において、均等モード（蓄電池システム動作の処理）が実行された場合の電力の供給態様を示している。図１２に示すように、図１１に示す一例においては、放電モードに設定された蓄電池システムが第Ｎ住宅用蓄電池システム２Ｎだけであったため、各住宅Ｈの消費電力に対して、当該第Ｎ住宅用蓄電池システム２Ｎから放電された電力が供給されている。
【０１０５】
そして、もし第Ｎ住宅用蓄電池システム２Ｎから放電された電力だけでは、各住宅Ｈの消費電力が賄えない場合（ステップＳ１１１でＹｅｓ）には、現在停止モードに設定されている住宅用蓄電池システム２０のうち、最も放電優先順位の高い住宅用蓄電池システム２０（本実施形態においては、図１１に示す第Ｎ−１住宅用蓄電池システム）を放電モードに変更する（ステップＳ１１３）。こうして、放電モードに設定された住宅用蓄電池システム２０の数を１つから２つに増加させ、ひいては放電モードに設定された全ての住宅用蓄電池システム２０（当該第Ｎ住宅用蓄電池システム２Ｎ及び前記第Ｎ−１住宅用蓄電池システム）からの電力量を増加させる。
【０１０６】
このように、蓄電池システム動作の処理により各住宅用蓄電池システム２０の放電に所定の放電優先順位を設けることによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【０１０７】
また、複数の住宅用蓄電池システム２０における放電量に生じた偏りの解消を図ることによって、当該複数の住宅用蓄電池システム２０における充放電量の偏りも解消することができる。こうして、複数の住宅用蓄電池システム２０における充放電量を均等化させることができるため、ひいては当該複数の住宅用蓄電池システム２０における寿命（耐用年数）の均等化を図ることができる。
【０１０８】
また、本実施形態においては、各住宅用蓄電池システム２０の放電優先順位の設定に、積算放電電力量（より詳細には、当該積算放電電力量に付与される積算放電電力量ポイント）が参照されている。したがって、複数の住宅用蓄電池システム２０における放電量の偏り（積算放電電力量の偏り）をより効果的に解消させることができる。
【０１０９】
また、本実施形態においては、各住宅用蓄電池システム２０の放電優先順位の設定に、積算充電電力量（より詳細には、当該積算充電電力量に付与される積算充電電力量ポイント）が参照されている。したがって、複数の住宅用蓄電池システム２０における充放電量の偏りをより効果的に解消させることができる。
【０１１０】
また、本実施形態においては、各住宅用蓄電池システム２０の放電優先順位の設定に、１日の充放電効率（より詳細には、当該１日の充放電効率に付与される充放電効率ポイント）が参照されている。したがって、複数の住宅用蓄電池システム２０における充放電量の偏りをより効果的に解消させることができる。
【０１１１】
また、本実施形態においては、各住宅用蓄電池システム２０の放電優先順位の設定にポイント（積算放電電力量ポイント、充放電効率ポイント及び積算充電電力量ポイント）が用いられている。このように、ポイントを用いることにより、簡単な演算（例えば、これらのポイントの加算）によって、放電優先順位の設定を行うことができる。
【０１１２】
次に、図１３を用いて、均等モードが実行された場合におけるＥＭＳ４０による第二実施形態（第一実施形態の別例）に係る蓄電池システム動作の処理について説明する。
【０１１３】
なお、第二実施形態に係る蓄電池システム動作の処理において、第一実施形態に係る蓄電池システム動作の処理と異なる点は、ステップＳ１１４の処理が無い点である。具体的には、ＥＭＳ４０は、ステップＳ１１３の処理を実行した後、蓄電池システム動作の処理を一旦終了し、多少の期間が経過した後、再びステップＳ１１１から当該蓄電池システム動作の処理を開始する。
【０１１４】
こうして、ＥＭＳ４０は、例えばステップＳ１１３の処理が実行された後に、共用蓄電池システム３０が放電していると判断すると（ステップＳ１１１でＹｅｓ）、停止モードに設定された住宅用蓄電池システム２０が存在している場合（ステップＳ１１２でＮｏ）に、放電モードに設定された住宅用蓄電池システム２０の数を増加させることによって、放電モードに設定された全ての住宅用蓄電池システム２０からの電力量を増加させることができる（ステップＳ１１３）。
【０１１５】
また、ＥＭＳ４０は、例えばステップＳ１１３の処理が実行された後に、共用蓄電池システム３０が放電していないと判断すると（ステップＳ１１１でＮｏ）、放電モードに設定された各住宅用蓄電池システム２０から放電された電力によって、各住宅Ｈの消費電力が賄えているため（共用蓄電池システム３０が放電する必要がないため）、蓄電池システム動作の処理を一旦終了する。
【０１１６】
このように、第二実施形態に係る蓄電池システム動作の処理により、第一実施形態に係る蓄電池システム動作の処理と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。また、複数の住宅用蓄電池システム２０における充放電量を均等化させることができるため、複数の住宅用蓄電池システム２０における寿命（耐用年数）の均等化を図ることができる。
【０１１７】
次に、図１４を用いて、均等モードが実行された場合におけるＥＭＳ４０による第三実施形態に係る蓄電池システム動作の処理について説明する。
【０１１８】
なお、第三実施形態に係る蓄電池システム動作の処理において、第一実施形態に係る蓄電池システム動作の処理と異なる点は、ステップＳ１２１からステップＳ１２４の処理が加わった点である。以下では便宜上、第三実施形態に係る蓄電池システム動作の処理において、第一実施形態に係る蓄電池システム動作の処理と異なる点（ステップＳ１２１からステップＳ１２４の処理）について説明を行い、第一実施形態に係る蓄電池システム動作の処理と同一の点（ステップＳ１１１からステップＳ１１４の処理）については説明を省略する。
【０１１９】
ステップＳ１２１において、ＥＭＳ４０は、共用蓄電池システム３０において系統電源Ｓから購入している電力が、所定の最低放電閾値ａよりも大きいか否かを判断する。ＥＭＳ４０は、共用蓄電池システム３０において系統電源Ｓから購入している電力が、最低放電閾値ａよりも大きいと判断すると（ステップＳ１２１でＹｅｓ）、ステップＳ１２２の処理を実行する。
【０１２０】
ここで、最低放電閾値ａとは、少なくとも１つ以上の住宅用蓄電池システム２０が放電を行っている場合に系統電源Ｓから購入することが、電力会社との規定により設定された電力の値であり、例えば２００Ｗである。すなわち、本実施形態において、共用蓄電池システム３０において系統電源Ｓから購入している電力が最低放電閾値ａよりも大きい場合とは、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えない場合（不足する分の電力が系統電源Ｓから購入された場合）を示している。
【０１２１】
ステップＳ１２２において、ＥＭＳ４０は、放電優先順位の１番低い住宅用蓄電池システム２０が放電モードに設定されているか否かを判断する。なお、この処理の内容は、ステップＳ１１２と同一である。ＥＭＳ４０は、放電優先順位の１番低い住宅用蓄電池システム２０が放電モードに設定されていないと判断すると（ステップＳ１２２でＮｏ）、ステップＳ１２３の処理を実行する。
【０１２２】
ステップＳ１２３において、ＥＭＳ４０は、現在停止モードに設定されている住宅用蓄電池システム２０のうち、最も放電優先順位の高い住宅用蓄電池システム２０を放電モードに変更する。なお、この処理の内容は、ステップＳ１１３と同一である。ＥＭＳ４０は、ステップＳ１２３の処理を実行した後、ステップＳ１２４の処理を実行する。
【０１２３】
このように、放電モードに設定された全ての住宅用蓄電池システム２０から電力が放電されても各住宅Ｈの消費電力が賄えない場合（ステップＳ１２１でＹｅｓ）であって、且つ停止モードに設定された住宅用蓄電池システム２０が存在している場合（ステップＳ１２２でＮｏ）には、放電モードに設定された住宅用蓄電池システム２０の数を増加させることによって、放電モードに設定された全ての住宅用蓄電池システム２０からの電力量を増加させることができる（ステップＳ１２３）。
【０１２４】
ステップＳ１２４において、ＥＭＳ４０は、共用蓄電池システム３０において系統電源Ｓから購入している電力が最低放電閾値ａ以下であるか否かを判断する。ＥＭＳ４０は、共用蓄電池システム３０において系統電源Ｓから購入している電力が、最低放電閾値ａ以下ではないと判断すると（ステップＳ１２４でＮｏ）、再びステップＳ１２２の処理を実行する。なお、共用蓄電池システム３０において系統電源Ｓから購入している電力が最低放電閾値ａ以下ではない場合とは、放電モードに設定された全ての住宅用蓄電池システム２０から電力が放電されても各住宅Ｈの消費電力が賄えない場合（共用蓄電池システム３０も電力を放電している場合）を示している。
【０１２５】
このような場合、ＥＭＳ４０は、再びステップＳ１２２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【０１２６】
また、ステップＳ１２４において、ＥＭＳ４０は、共用蓄電池システム３０において系統電源Ｓから購入している電力が最低放電閾値ａ以下であると判断すると（ステップＳ１２４でＹｅｓ）、蓄電池システム動作の処理を終了する。なお、共用蓄電池システム３０において系統電源Ｓから購入している電力が最低放電閾値ａ以下である場合とは、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。
【０１２７】
また、ステップＳ１２２において、ＥＭＳ４０は、放電優先順位の１番低い住宅用蓄電池システム２０が放電モードに設定されていると判断すると（ステップＳ１２２でＹｅｓ）、ステップＳ１１２でＹｅｓの場合と同様に、蓄電池システム動作の処理を終了する。
【０１２８】
このように、第三実施形態に係る蓄電池システム動作の処理のうち、ステップＳ１２１からステップＳ１２４までの処理により、第一実施形態に係る蓄電池システム動作の処理（ステップＳ１１１からステップＳ１１４までの処理）と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。また、複数の住宅用蓄電池システム２０における充放電量を均等化させることができるため、複数の住宅用蓄電池システム２０における寿命（耐用年数）の均等化を図ることができる。
【０１２９】
また、ステップＳ１２１において、ＥＭＳ４０は、共用蓄電池システム３０において系統電源Ｓから購入している電力が最低放電閾値ａよりも大きくないと判断すると（ステップＳ１２１でＮｏ）、ステップＳ１１１の処理を実行する。なお、共用蓄電池システム３０において系統電源Ｓから購入している電力が最低放電閾値ａよりも大きくない場合とは、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。
【０１３０】
こうして、ステップＳ１１１からステップＳ１１４においては、ＥＭＳ４０は、第一実施形態に係る蓄電池システム動作の処理と同一の処理を実行する。すなわち、第三実施形態に係る蓄電池システム動作の処理のうち、ステップＳ１１１からステップＳ１１４までの処理により、第一実施形態に係る蓄電池システム動作の処理と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。また、複数の住宅用蓄電池システム２０における充放電量を均等化させることができるため、複数の住宅用蓄電池システム２０における寿命（耐用年数）の均等化を図ることができる。
【０１３１】
このように、第三実施形態に係る蓄電池システム動作の処理においては、共用蓄電池システム３０において系統電源Ｓから購入している電力が最低放電閾値ａよりも大きいか否かの判断（ステップＳ１２１）と、共用蓄電池システム３０が放電しているか否かの判断（ステップＳ１１１）という互いに異なる２つの判断に基づいて、複数の住宅用蓄電池システム２０における放電量に生じた偏りの解消を図っている。すなわち、２つの判断のうち、１つの判断が何らかの原因により正確に行われない場合であっても、残りの１つの判断に基づいて、複数の住宅用蓄電池システム２０における放電量に生じた偏りの解消を図ることができるため、複数の住宅Ｈ（住人）間で得ることができる料金の均等化をより確実に図ることができる。また、複数の住宅用蓄電池システム２０における充放電量を均等化させることができるため、複数の住宅用蓄電池システム２０における寿命（耐用年数）の均等化をより確実に図ることができる。
【０１３２】
なお、第三実施形態に係る蓄電池システム動作の処理においては、ステップＳ１２４の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１３３】
次に、図１５を用いて、均等モードが実行された場合におけるＥＭＳ４０による第四実施形態に係る蓄電池システム動作の処理について説明する。
【０１３４】
なお、第四実施形態に係る蓄電池システム動作の処理において、第一実施形態に係る蓄電池システム動作の処理と異なる点は、ステップＳ１３１からステップＳ１３３の処理が加わった点である。以下では便宜上、第四実施形態に係る蓄電池システム動作の処理において、第一実施形態に係る蓄電池システム動作の処理と異なる点（ステップＳ１３１からステップＳ１３３の処理）について説明を行い、第一実施形態に係る蓄電池システム動作の処理と同一の点（ステップＳ１１１からステップＳ１１４の処理）については説明を省略する。
【０１３５】
ステップＳ１１１でＮｏである場合、ステップＳ１１２でＹｅｓである場合、又は、ステップＳ１１４でＹｅｓである場合、ＥＭＳ４０は、ステップＳ１３１の処理を実行する。
【０１３６】
なお、ステップＳ１１１でＮｏである場合、及び、ステップＳ１１４でＹｅｓである場合とは、各住宅Ｈの消費電力が賄えている場合（共用蓄電池システム３０が放電する必要がない場合）を示している。また、ステップＳ１１２でＹｅｓである場合とは、停止モードに設定された住宅用蓄電池システム２０が存在していない場合を示している。このように、ステップＳ１１１でＮｏである場合、ステップＳ１１２でＹｅｓである場合、又は、ステップＳ１１４でＹｅｓである場合とは、放電モードに設定された住宅用蓄電池システム２０の数を増加させる処理を行わない（行うことができない、又は行う必要がない）場合を示している。
【０１３７】
このように、第四実施形態に係る蓄電池システム動作の処理において、ＥＭＳ４０は、放電モードに設定された住宅用蓄電池システム２０の数を増加させる処理を行わない場合、ステップＳ１３１の処理を実行する。
【０１３８】
ステップＳ１３１において、ＥＭＳ４０は、放電モードに設定された各住宅用蓄電池システム２０に、放電待機である住宅用蓄電池システム２０があるか否かを判断する。ＥＭＳ４０は、放電モードに設定された各住宅用蓄電池システム２０に、放電待機である住宅用蓄電池システム２０があると判断すると（ステップＳ１３１でＹｅｓ）、ステップＳ１３２の処理を実行する。なお、放電モードに設定された各住宅用蓄電池システム２０に、放電待機である住宅用蓄電池システム２０がある場合とは、各住宅Ｈの消費電力が賄えており、必要以上の数の住宅用蓄電池システム２０が放電モードに設定されている場合を示している。
【０１３９】
ステップＳ１３２において、ＥＭＳ４０は、放電モードに設定された全ての住宅用蓄電池システム２０のうち、最も放電優先順位の小さい住宅用蓄電池システム２０を停止モードに変更する。こうして、ＥＭＳ４０は、放電モードに設定された住宅用蓄電池システム２０の数を減少させ、放電優先順位の小さい住宅用蓄電池システム２０からの放電を極力行わないようにする。ＥＭＳ４０は、ステップＳ１３２の処理を実行した後、ステップＳ１３３の処理を実行する。
【０１４０】
ステップＳ１３３において、ＥＭＳ４０は、放電モードに設定された全ての住宅用蓄電池システム２０が放電しているか否かを判断する。ＥＭＳ４０は、放電モードに設定された全ての住宅用蓄電池システム２０が放電していないと判断すると（ステップＳ１３３でＮｏ）、再びステップＳ１３２の処理を実行する。
【０１４１】
なお、放電モードに設定された全ての住宅用蓄電池システム２０が放電していない場合（ステップＳ１３３でＮｏ）とは、放電モードに設定された全ての住宅用蓄電池システム２０のうち、放電待機である住宅用蓄電池システム２０がある場合、すなわち各住宅Ｈの消費電力が賄えており、必要以上の数の住宅用蓄電池システム２０が放電モードに設定されている場合を示している。
【０１４２】
このような場合、ＥＭＳ４０は、再びステップＳ１３２の処理を実行することによって、放電優先順位の小さい住宅用蓄電池システム２０からの放電を極力行わないように、最も放電優先順位の小さい住宅用蓄電池システム２０を停止モードに変更する。
【０１４３】
また、ステップＳ１３３において、ＥＭＳ４０は、放電モードに設定された全ての住宅用蓄電池システム２０が放電していると判断すると（ステップＳ１３３でＹｅｓ）、蓄電池システム動作の処理を終了する。なお、放電モードに設定された全ての住宅用蓄電池システム２０が放電している場合とは、放電モードに設定された住宅用蓄電池システム２０の数をこれ以上減少させることができない場合を示している。
【０１４４】
また、ステップＳ１３１において、ＥＭＳ４０は、放電モードに設定された各住宅用蓄電池システム２０に、放電待機である住宅用蓄電池システム２０がないと判断すると（ステップＳ１３１でＮｏ）、蓄電池システム動作の処理を終了する。なお、放電モードに設定された各住宅用蓄電池システム２０に、放電待機である住宅用蓄電池システム２０がない場合とは、放電モードに設定された住宅用蓄電池システム２０の数をこれ以上減少させることができない場合を示している。
【０１４５】
このように、第四実施形態に係る蓄電池システム動作の処理により、住宅用蓄電池システム２０の動作（放電及び放電停止）を制御することによって、例えば第一実施形態に係る蓄電池システム動作の処理よりも住宅用蓄電池システム２０からの放電量を細かく調整しながら、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化をより確実に図ることができる。また、複数の住宅用蓄電池システム２０における充放電量を均等化させることができるため、複数の住宅用蓄電池システム２０における寿命（耐用年数）の均等化をより確実に図ることができる。
【０１４６】
なお、第四実施形態に係る蓄電池システム動作の処理においては、ステップＳ１３３の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１４７】
以下では、図１６を用いて、第二実施形態に係る電力供給システム２００について説明する。
【０１４８】
図１６に示すように、第二実施形態に係る電力供給システム２００において、第一実施形態に係る電力供給システム１と異なる点は、共用蓄電池システム３０及びセンサ部１０の共用センサ１０Ｔを具備しない点である。
【０１４９】
このような電力供給システム２００においても、電力供給システム１と同様に、上述の如く問題を解決するため、均等モードを実行することができる。また、均等モードが実行される場合、ＥＭＳ４０は、まず事前設定の処理を行い、その後に蓄電池システム動作の処理を行う。なお、電力供給システム２００において、均等モードが実行された場合におけるＥＭＳ４０による事前設定の処理は、電力供給システム１と同様であるため、その説明は省略する。
【０１５０】
以下では、図１７を用いて、第二実施形態に係る電力供給システム２００において、均等モードが実行された場合におけるＥＭＳ４０による第一実施形態に係る蓄電池システム動作の処理（以下では便宜上「第五実施形態に係る蓄電池システム動作の処理」と称する）について説明する。
【０１５１】
ステップＳ１５１において、ＥＭＳ４０は、最も上流側に配置されている住宅用蓄電池システム（本実施形態においては、第Ｎ住宅用蓄電池システム２Ｎ）において系統電源Ｓから購入している電力が、最低放電閾値ａよりも大きいか否かを判断する。ＥＭＳ４０は、第Ｎ住宅用蓄電池システム２Ｎにおいて系統電源Ｓから購入している電力が、最低放電閾値ａよりも大きいと判断すると（ステップＳ１５１でＹｅｓ）、ステップＳ１５２の処理を実行する。
【０１５２】
なお、第Ｎ住宅用蓄電池システム２Ｎにおいて系統電源Ｓから購入している電力が最低放電閾値ａよりも大きい場合とは、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えていない場合（不足する分の電力が系統電源Ｓから購入された場合）を示している。
【０１５３】
ステップＳ１５２において、ＥＭＳ４０は、放電優先順位の１番低い住宅用蓄電池システム２０が放電モードに設定されているか否かを判断する。なお、この処理の内容は、ステップＳ１１２と同一である。ＥＭＳ４０は、放電優先順位の１番低い住宅用蓄電池システム２０が放電モードに設定されていないと判断すると（ステップＳ１５２でＮｏ）、ステップＳ１５３の処理を実行する。
【０１５４】
ステップＳ１５３において、ＥＭＳ４０は、現在停止モードに設定されている住宅用蓄電池システム２０のうち、最も放電優先順位の高い住宅用蓄電池システム２０を放電モードに変更する。なお、この処理の内容は、ステップＳ１１３と同一である。ＥＭＳ４０は、ステップＳ１５３の処理を実行した後、ステップＳ１５４の処理を実行する。
【０１５５】
ステップＳ１５４において、ＥＭＳ４０は、最も上流側に配置されている住宅用蓄電池システム（本実施形態においては、第Ｎ住宅用蓄電池システム２Ｎ）において系統電源Ｓから購入している電力が、最低放電閾値ａ以下であるか否かを判断する。ＥＭＳ４０は、第Ｎ住宅用蓄電池システム２Ｎにおいて系統電源Ｓから購入している電力が、最低放電閾値ａ以下ではないと判断すると（ステップＳ１５４でＮｏ）、再びステップＳ１５２の処理を実行する。
【０１５６】
なお、第Ｎ住宅用蓄電池システム２Ｎにおいて系統電源Ｓから購入している電力が最低放電閾値ａ以下ではない場合とは、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えていない場合（不足する分の電力が系統電源Ｓから購入された場合）を示している。
【０１５７】
このような場合、ＥＭＳ４０は、再びステップＳ１５２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【０１５８】
また、ステップＳ１５４において、ＥＭＳ４０は、第Ｎ住宅用蓄電池システム２Ｎにおいて系統電源Ｓから購入している電力が、最低放電閾値ａ以下であると判断すると（ステップＳ１５４でＹｅｓ）、蓄電池システム動作の処理を終了する。なお、第Ｎ住宅用蓄電池システム２Ｎにおいて系統電源Ｓから購入している電力が、最低放電閾値ａ以下である場合とは、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。
【０１５９】
また、ステップＳ１５２において、ＥＭＳ４０は、放電優先順位の１番低い住宅用蓄電池システム２０が放電モードに設定されていると判断すると（ステップＳ１５２でＹｅｓ）、ステップＳ１１２でＹｅｓの場合と同様に、蓄電池システム動作の処理を終了する。
【０１６０】
このような場合、ＥＭＳ４０は、放電モードに設定された住宅用蓄電池システム２０の数を増加させることができないため、放電モードに設定された全ての住宅用蓄電池システム２０からの電力量を増加させることもできない。こうして、放電優先順位の１番低い住宅用蓄電池システム２０が放電モードに設定されている場合には、系統電源Ｓから不足する分の電力が購入され、当該購入された電力が各住宅Ｈへと供給される。
【０１６１】
このように、第五実施形態に係る蓄電池システム動作の処理により、第一実施形態に係る蓄電池システム動作の処理と同様に、住宅用蓄電池システム２０の動作（放電）を制御することによって、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。また、複数の住宅用蓄電池システム２０における充放電量を均等化させることができるため、複数の住宅用蓄電池システム２０における寿命（耐用年数）の均等化を図ることができる。
【０１６２】
また、第五実施形態に係る蓄電池システム動作の処理においては、第一実施形態に係る蓄電池システム動作の処理とは異なり、共用蓄電池システム３０が放電しているか否かの判断（ステップＳ１１１）に基づくのではなく、第Ｎ住宅用蓄電池システム２Ｎにおいて系統電源Ｓから購入している電力が最低放電閾値ａよりも大きいか否かの判断（ステップＳ１５１）に基づいて、複数の住宅用蓄電池システム２０における放電量に生じた偏りの解消を図っている。こうして、共用蓄電池システム３０を有していない場合であっても、複数の住宅Ｈ（住人）間で得ることができる料金の均等化を図ることができる。また、複数の住宅用蓄電池システム２０における充放電量を均等化させることができるため、複数の住宅用蓄電池システム２０における寿命（耐用年数）の均等化をより確実に図ることができる。
【０１６３】
なお、第五実施形態に係る蓄電池システム動作の処理においては、ステップＳ１５４の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１６４】
以下では、図１８及び図１９を用いて、第二実施形態に係る電力供給システム２００において、均等モードが実行された場合におけるＥＭＳ４０による第二実施形態に係る蓄電池システム動作の処理（以下では便宜上「第六実施形態に係る蓄電池システム動作の処理」と称する）について説明する。
【０１６５】
なお、第六実施形態に係る蓄電池システム動作の処理において、第五実施形態に係る蓄電池システム動作の処理と異なる点は、ステップＳ１６１からステップＳ１７１の処理が加わった点である。以下では便宜上、第六実施形態に係る蓄電池システム動作の処理において、第五実施形態に係る蓄電池システム動作の処理と異なる点（ステップＳ１６１からステップＳ１７１の処理）について説明を行い、第五実施形態に係る蓄電池システム動作の処理と同一の点（ステップＳ１５１からステップＳ１５４の処理）については説明を省略する。
【０１６６】
ＥＭＳ４０は、ステップＳ１５１でＹｅｓである場合、ステップＳ１６１の処理を実行する。
【０１６７】
ステップＳ１６１において、ＥＭＳ４０は、各住宅用蓄電池システム２０の蓄電池残量が所定の放電可能閾値ｂよりも大きいか否かを判断する。ＥＭＳ４０は、各住宅用蓄電池システム２０の蓄電池残量が放電可能閾値ｂよりも大きいと判断すると（ステップＳ１６１でＹｅｓ）、ステップＳ１５２の処理を実行する。また、ＥＭＳ４０は、各住宅用蓄電池システム２０の蓄電池残量が放電可能閾値ｂよりも大きくない（少なくとも１つ以上の住宅用蓄電池システム２０の蓄電池残量が放電可能閾値ｂ以下である）と判断すると（ステップＳ１６１でＮｏ）、ステップＳ１６２の処理を実行する。
【０１６８】
ここで、放電可能閾値ｂとは、住宅用蓄電池システム２０が放電を行うための蓄電池残量の下限値である。すなわち、本実施形態において、各住宅用蓄電池システム２０の蓄電池残量が放電可能閾値ｂよりも大きい場合とは、全ての住宅用蓄電池システム２０が放電モードであれば放電可能である場合を示している。また、各住宅用蓄電池システム２０の蓄電池残量が放電可能閾値ｂよりも大きくない（少なくとも１つ以上の住宅用蓄電池システム２０の蓄電池残量が放電可能閾値ｂ以下である）場合とは、少なくとも１つ以上の住宅用蓄電池システム２０が放電モードであっても放電不可能である場合を示している。
【０１６９】
ステップＳ１６２において、ＥＭＳ４０は、各住宅用蓄電池システム２０の蓄電池残量が放電可能閾値ｂ以下であるか否かを判断する。ＥＭＳ４０は、各住宅用蓄電池システム２０の蓄電池残量が放電可能閾値ｂ以下ではないと判断すると（ステップＳ１６２でＮｏ）、ステップＳ１６３の処理を実行する。なお、各住宅用蓄電池システム２０の蓄電池残量が放電可能閾値ｂ以下ではない場合とは、少なくとも１つ以上の住宅用蓄電池システム２０が放電モードであれば放電可能である場合を示している。
【０１７０】
ステップＳ１６３において、ＥＭＳ４０は、蓄電池残量が放電可能閾値ｂよりも大きい住宅用蓄電池システム２０のみを抽出し、当該抽出した各住宅用蓄電池システム２０の放電優先順位を設定する。具体的には、ＥＭＳ４０は、前記抽出した各住宅用蓄電池システム２０の積算放電電力量を取得し、当該取得した積算放電電力量に基づいて、当該抽出した各住宅用蓄電池システム２０の放電優先順位を設定する。ＥＭＳ４０は、ステップＳ１６３の処理を実行した後、ステップＳ１６４の処理を実行する。
【０１７１】
ステップＳ１６４において、ＥＭＳ４０は、ステップＳ１６３で設定された放電優先順位の１番低い住宅用蓄電池システム２０が、放電モードに設定されているか否かを判断する。ＥＭＳ４０は、放電優先順位の１番低い住宅用蓄電池システム２０が放電モードに設定されていないと判断すると（ステップＳ１６４でＮｏ）、ステップＳ１６５の処理を実行する。
【０１７２】
ステップＳ１６５において、ＥＭＳ４０は、ステップＳ１６３で放電優先順位が設定された住宅用蓄電池システム２０であって、且つ現在停止モードに設定されている住宅用蓄電池システム２０のうち、最も放電優先順位の高い住宅用蓄電池システム２０を放電モードに変更する。ＥＭＳ４０は、ステップＳ１６５の処理を実行した後、ステップＳ１６６の処理を実行する。
【０１７３】
ステップＳ１６６において、ＥＭＳ４０は、最も上流側に配置されている住宅用蓄電池システム（本実施形態においては、第Ｎ住宅用蓄電池システム２Ｎ）において系統電源Ｓから購入している電力が、最低放電閾値ａ以下であるか否かを判断する。ＥＭＳ４０は、第Ｎ住宅用蓄電池システム２Ｎにおいて系統電源Ｓから購入している電力が、最低放電閾値ａ以下ではないと判断すると（ステップＳ１６６でＮｏ）、再びステップＳ１６４の処理を実行する。
【０１７４】
なお、第Ｎ住宅用蓄電池システム２Ｎにおいて系統電源Ｓから購入している電力が最低放電閾値ａ以下ではない場合とは、ステップＳ１６３で放電優先順位が設定された住宅用蓄電池システム２０のうち、少なくとも１つ以上の住宅用蓄電池システム２０が放電を行っている場合であって、且つ、放電モードに設定された全ての住宅用蓄電池システム２０から電力が放電されても各住宅Ｈの消費電力が賄えない場合（不足する分の電力が系統電源Ｓから購入された場合）を示している。
【０１７５】
このような場合、ＥＭＳ４０は、再びステップＳ１６４の処理を実行することによって、可能であれば（ステップＳ１６３で放電優先順位が設定された住宅用蓄電池システム２０のうち、停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【０１７６】
また、ステップＳ１６６において、ＥＭＳ４０は、第Ｎ住宅用蓄電池システム２Ｎにおいて系統電源Ｓから購入している電力が、最低放電閾値ａ以下であると判断すると（ステップＳ１６６でＹｅｓ）、ステップＳ１６７の処理を実行する。なお、第Ｎ住宅用蓄電池システム２Ｎにおいて系統電源Ｓから購入している電力が最低放電閾値ａ以下である場合とは、ステップＳ１６３で放電優先順位が設定された住宅用蓄電池システム２０のうち、少なくとも１つ以上の住宅用蓄電池システム２０が放電を行っている場合であって、且つ、放電モードに設定された各住宅用蓄電池システム２０から放電された電力によって、各住宅Ｈの消費電力が賄えている場合（不足する分の電力が系統電源Ｓから購入されていない場合）か、又は全ての住宅用蓄電池システム２０が放電を行っていない場合を示している。  
【０１７７】
また同様に、ステップＳ１５１でＮｏである場合、ステップＳ１５２でＹｅｓである場合、ステップＳ１５４でＹｅｓである場合、ステップＳ１６２でＹｅｓである場合、又は、ステップＳ１６４でＹｅｓである場合、ＥＭＳ４０は、ステップＳ１６７の処理を実行する。
【０１７８】
なお、ステップＳ１５１でＮｏである場合とは、各住宅Ｈの消費電力が賄えている場合（不足する分の電力が系統電源Ｓから購入されていない場合）か、又は全ての住宅用蓄電池システム２０が放電を行っていない場合を示している。また、ステップＳ１５２でＹｅｓである場合、及び、ステップＳ１６４でＹｅｓである場合とは、停止モードに設定された住宅用蓄電池システム２０が存在していない場合を示している。また、ステップＳ１５４でＹｅｓである場合とは、各住宅Ｈの消費電力が賄えている場合（不足する分の電力が系統電源Ｓから購入されていない場合）か、又は全ての住宅用蓄電池システム２０が放電を行っていない場合を示している。また、ステップＳ１６２でＹｅｓである場合とは、全ての住宅用蓄電池システム２０が放電モードであっても放電不可能である場合を示している。
【０１７９】
このように、ステップＳ１６６でＹｅｓである場合、ステップＳ１５１でＮｏである場合、ステップＳ１５２でＹｅｓである場合、ステップＳ１５４でＹｅｓである場合、ステップＳ１６２でＹｅｓである場合、又は、ステップＳ１６４でＹｅｓである場合とは、放電モードに設定された住宅用蓄電池システム２０の数を増加させる処理を行わない（行うことができない、又は行う必要がない）場合を示している。
【０１８０】
このように、第六実施形態に係る蓄電池システムの動作の処理において、ＥＭＳ４０は、放電モードに設定された住宅用蓄電池システム２０の数を増加させる処理を行わない場合、ステップＳ１６７の処理を実行する。
【０１８１】
ステップＳ１６７において、ＥＭＳ４０は、放電モードに設定された各住宅用蓄電池システム２０に、放電待機である住宅用蓄電池システム２０があるか否かを判断する。ＥＭＳ４０は、放電モードに設定された各住宅用蓄電池システム２０に、放電待機である住宅用蓄電池システム２０があると判断すると（ステップＳ１６７でＹｅｓ）、ステップＳ１６８の処理を実行する。
【０１８２】
ステップＳ１６８において、ＥＭＳ４０は、放電モードに設定された各住宅用蓄電池システム２０の蓄電池残量が放電可能閾値ｂよりも大きいか否かを判断する。ＥＭＳ４０は、放電モードに設定された各住宅用蓄電池システム２０の蓄電池残量が放電可能閾値ｂよりも大きいと判断すると（ステップＳ１６８でＹｅｓ）、ステップＳ１６９の処理を実行する。
【０１８３】
なお、放電モードに設定された各住宅用蓄電池システム２０の蓄電池残量が放電可能閾値ｂよりも大きい場合（ステップＳ１６８でＹｅｓ）とは、放電待機となっている全ての住宅用蓄電池システム２０の蓄電池残量が放電可能な程度に残っている場合（すなわち、各住宅Ｈの消費電力に対して余剰が生じるために放電待機となっている場合）を示している。
【０１８４】
ステップＳ１６９において、ＥＭＳ４０は、放電モードに設定された全ての住宅用蓄電池システム２０のうち、最も放電優先順位の小さい住宅用蓄電池システム２０を停止モードに変更する。こうして、ＥＭＳ４０は、各住宅Ｈの消費電力に対して余剰が生じるために放電待機となっている住宅用蓄電池システム２０がある場合に、放電優先順位の小さい住宅用蓄電池システム２０からではなく、放電優先順位の大きい住宅用蓄電池システム２０から電力が放電されるようにする。ＥＭＳ４０は、ステップＳ１６９の処理を実行した後、ステップＳ１７１の処理を実行する。
【０１８５】
また、ステップＳ１６８において、ＥＭＳ４０は、放電モードに設定された各住宅用蓄電池システム２０の蓄電池残量が放電可能閾値ｂよりも大きくない（放電モードに設定された各住宅用蓄電池システム２０のうち、少なくとも１つ以上の住宅用蓄電池システム２０の蓄電池残量が放電可能閾値ｂ以下である）と判断すると（ステップＳ１６８でＮｏ）、ステップＳ１７０の処理を実行する。
【０１８６】
なお、放電モードに設定された各住宅用蓄電池システム２０の蓄電池残量が放電可能閾値ｂよりも大きくない（放電モードに設定された各住宅用蓄電池システム２０のうち、少なくとも１つ以上の住宅用蓄電池システム２０の蓄電池残量が放電可能閾値ｂ以下である）場合とは、放電待機の全ての住宅用蓄電池システム２０のうち、少なくとも１つ以上の住宅用蓄電池システム２０の蓄電池残量が放電可能な程度に残っていない場合（すなわち、各住宅Ｈの消費電力が賄えていなくとも、放電不可能であるために放電待機となっている場合）を示している。
【０１８７】
ステップＳ１７０において、ＥＭＳ４０は、放電モードに設定された全ての住宅用蓄電池システム２０のうち、蓄電池残量が放電可能閾値ｂ以下の住宅用蓄電池システム２０を抽出し、当該抽出した各住宅用蓄電池システム２０を停止モードに変更する。こうして、ＥＭＳ４０は、放電モードに設定された住宅用蓄電池システム２０のうち、蓄電池残量が放電可能な程度に残っていない住宅用蓄電池システム２０を停止モードとする。ＥＭＳ４０は、ステップＳ１７０の処理を実行した後、ステップＳ１７１の処理を実行する。
【０１８８】
ステップＳ１７１において、ＥＭＳ４０は、放電モードに設定された全ての住宅用蓄電池システム２０が放電しているか否かを判断する。ＥＭＳ４０は、放電モードに設定された全ての住宅用蓄電池システム２０が放電していないと判断すると（ステップＳ１７１でＮｏ）、再びステップＳ１６８の処理を実行する。
【０１８９】
なお、放電モードに設定された全ての住宅用蓄電池システム２０が放電していない場合（ステップＳ１７１でＮｏ）とは、放電モードに設定された全ての住宅用蓄電池システム２０のうち、放電待機である住宅用蓄電池システム２０がある場合、すなわち各住宅Ｈの消費電力が賄えており、必要以上の数の住宅用蓄電池システム２０が放電モードに設定されている場合を示している。
【０１９０】
このような場合、ＥＭＳ４０は、再びステップＳ１６８の処理を実行することによって、放電優先順位の小さい住宅用蓄電池システム２０からの放電を極力行わないように、最も放電優先順位の小さい住宅用蓄電池システム２０を停止モードに変更する。
【０１９１】
また、ステップＳ１７１において、ＥＭＳ４０は、放電モードに設定された全ての住宅用蓄電池システム２０が放電していると判断すると（ステップＳ１７１でＹｅｓ）、蓄電池システム動作の処理を終了する。なお、放電モードに設定された全ての住宅用蓄電池システム２０が放電している場合とは、放電モードに設定された住宅用蓄電池システム２０の数をこれ以上減少させることができない場合を示している。
【０１９２】
また、ステップＳ１６７において、ＥＭＳ４０は、放電モードに設定された全ての住宅用蓄電池システム２０のうち、放電待機である住宅用蓄電池システム２０がないと判断すると（ステップＳ１６７でＮｏ）、蓄電池システム動作の処理を終了する。なお、放電モードに設定された全ての住宅用蓄電池システム２０のうち、放電待機である住宅用蓄電池システム２０がない場合とは、放電モードに設定された住宅用蓄電池システム２０の数をこれ以上減少させることができない場合を示している。
【０１９３】
このように、第六実施形態に係る蓄電池システム動作の処理においては、住宅用蓄電池システム２０の動作（放電及び放電停止）を制御すると共に、第五実施形態に係る蓄電池システム動作の処理とは異なり、第Ｎ住宅用蓄電池システム２Ｎにおいて系統電源Ｓから購入している電力が最低放電閾値ａよりも大きいか否かの判断（ステップＳ１５１）だけではなく、各住宅用蓄電池システム２０の蓄電池残量が放電可能閾値ｂよりも大きいか否かの判断（ステップＳ１６１）等に基づいて、住宅用蓄電池システム２０からの放電量を細かく調整しながら、複数の住宅用蓄電池システム２０における放電量の偏り（積算放電電力量の偏り）の解消を図ることができる。こうして、複数の住宅用蓄電池システム２０における放電量に生じた偏りの解消を図ることによって、複数の住宅Ｈ（住人）間で得ることができる料金の均等化をより確実に図ることができる。また、複数の住宅用蓄電池システム２０における充放電量を均等化させることができるため、複数の住宅用蓄電池システム２０における寿命（耐用年数）の均等化をより確実に図ることができる。
【０１９４】
なお、第六実施形態に係る蓄電池システム動作の処理においては、ステップＳ１５４、ステップＳ１６６、及びステップＳ１７１の処理を実行しているが、第一実施形態に係る蓄電池システム動作の処理におけるステップＳ１１４と同様に、当該処理を省略することもできる（第二実施形態（第一実施形態の別例）に係る蓄電池システム動作の処理を参照）。
【０１９５】
以上のように、本実施形態に係る電力供給システム１においては、
電力を充放電可能であって住宅Ｈ（負荷）へと電力を供給可能であると共に動作に関する複数の動作モードを実行可能な複数の住宅用蓄電池システム２０（蓄電池システム）と、
前記住宅用蓄電池システム２０の前記動作モードを切り替えるＥＭＳ４０（制御部）と、
を具備し、
前記住宅用蓄電池システム２０は、
前記動作モードとして前記住宅Ｈ（負荷）の要求に応じて放電可能とする放電モード、又は放電不可能とする停止モードを実行可能であり、
前記ＥＭＳ４０（制御部）は、
前記住宅用蓄電池システム２０の充放電に関する少なくとも２種類以上の情報（例えば、積算放電電力量、１日の充放電効率、積算充電電力量）を取得し、
取得した前記情報のそれぞれに対してポイント（第一の点数）を付与する共に、付与した前記ポイント（第一の点数）を合計することによって（付与した前記第一の点数を用いた所定の演算によって）複数の前記住宅用蓄電池システム２０を優先順位づけるための合計ポイント（第二の点数）を算出し、
複数の前記住宅用蓄電池システム２０のうち、算出した前記合計ポイント（第二の点数）に基づいて一の蓄電池システムを前記優先順位の最上位として前記放電モードとし、その他の蓄電池システムを前記停止モードとするものである。
【０１９６】
このような構成により、複数の住宅用蓄電池システム２０のうち特定の住宅用蓄電池システム２０に放電や充電が偏ることを効果的に防止することができる。
こうして、複数の住宅用蓄電池システム２０における放電量に偏りが生じることを防止するため、複数の住宅Ｈ（住人）間で得ることができる料金の均等化を図ることができる。また、複数の住宅用蓄電池システム２０における放電量に偏りが生じることを防止するため、複数の住宅用蓄電池システム２０における寿命（耐用年数）の均等化を図ることができる。
【０１９７】
また、本実施形態に係る電力供給システム１においては、
前記２種類以上の情報には、前記蓄電池システムの充放電効率が含まれるものである。
【０１９８】
このような構成により、複数の住宅用蓄電池システム２０の配置（上流側又は下流側）に影響を受け易い充放電効率に基づいて優先順位を設定するため、特定の住宅用蓄電池システム２０が特定の順位（例えば、第１位）に継続して配置されるのを防止することができ、ひいては複数の住宅用蓄電池システム２０のうち特定の住宅用蓄電池システム２０に放電や充電が偏ることをより効果的に防止することができる。
【０１９９】
また、本実施形態に係る電力供給システム１においては、
前記放電モードである前記一の住宅用蓄電池システム２０からの電力が前記住宅Ｈ（負荷）の要求に対して不足する場合に前記住宅Ｈ（負荷）へと電力を供給する共用蓄電池システム３０（不足電力供給システム）を具備し、
前記ＥＭＳ４０（制御部）は、
前記共用蓄電池システム３０（不足電力供給システム）から前記住宅Ｈ（負荷）へと電力が供給されている場合、
前記停止モードである前記その他の住宅用蓄電池システム２０のうち、前記優先順位の最上位の前記住宅用蓄電池システム２０を前記放電モードとするものである。
【０２００】
このような構成により、複数の住宅用蓄電池システム２０のうち特定の住宅用蓄電池システム２０に放電や充電が偏ることをより効果的に防止することができる。
【０２０１】
また、本実施形態に係る電力供給システム１においては、
複数の前記住宅用蓄電池システム２０は、前記共用蓄電池システム３０（不足電力供給システム）よりも前記住宅Ｈ（負荷）に接続されるものである。
【０２０２】
このような構成により、複数の住宅用蓄電池システム２０のうち特定の住宅用蓄電池システム２０に放電や充電が偏ることをより効果的に防止することができる。
【０２０３】
また、本実施形態に係る電力供給システム１においては、
複数の前記住宅用蓄電池システム２０は、住宅Ｈの住人（複数の需要者）のうち何れかが所有し、
前記不足電力供給システムは、前記住宅Ｈの住人（複数の需要者）が共用しているものである。
【０２０４】
このような構成により、負荷へと電力を供給する複数の住宅Ｈの住人の共用のシステム用いて、複数の住宅用蓄電池システム２０のうち特定の住宅用蓄電池システム２０に放電や充電が偏ることをより効果的に防止することができる。
【０２０５】
なお、住宅用蓄電池システム２０は、蓄電池システムの実施の一形態である。
また、共用蓄電池システム３０は、不足電力供給システムの実施の一形態である。
また、住宅Ｈは、負荷の実施の一形態である。
また、ＥＭＳ４０は、制御部の実施の一形態である。
また、住宅Ｈの住人は、需要者の実施の一形態である。
また、積算放電電力量、１日の充放電効率、積算充電電力量は、少なくとも２種類以上の情報の実施の一形態である。
また、積算放電電力量、１日の充放電効率、積算充電電力量のポイントは、第一の点数の実施の一形態である。
また、合計ポイントは、第二の点数の実施の一形態である。
また、積算放電電力量、１日の充放電効率、積算充電電力量のポイントを合計することは、第一の点数を用いた所定の演算の実施の一形態である。
【０２０６】
以上、一実施形態を説明したが、本発明は上記構成に限定されるものではなく、特許請求の範囲に記載された発明の範囲内で種々の変更が可能である。
【０２０７】
例えば、上記実施形態においては、電力小売事業者が電力会社から一括購入した電力を、複数の住宅Ｈ間で適宜供給（融通）するとしたが、電力小売事業者が電力会社から一括購入するものでなくともよい。
【０２０８】
また、住宅用蓄電池システム２０及び共用蓄電池システム３０は、それぞれ自然エネルギーを用いて発電する発電装置（例えば、太陽光発電装置）や、所定の燃料を用いて発電する発電装置（例えば、燃料装置）等を具備する構成であってもよい。
【０２０９】
また、住宅用蓄電池システム２０の放電モード及び停止モードを切り替えるのは、ＥＭＳ４０ではなく、適宜の制御部を選択することができる。
【０２１０】
また、本実施形態においては、住宅用蓄電池システム２０の放電優先順位の設定に積算放電電力量と積算充電電力量と充放電効率という３種類の情報が用いられたが、これに限定するものではない。具体的には、これらの３種類のうち例えば任意の２種類が用いられるものであってもよく、これら以外の情報を加えて４種類以上の情報が用いられるものであってもよい。
【０２１１】
また、本実施形態においては、各住宅用蓄電池システム２０の放電優先順位を設定するために、所定の演算としてポイント（積算放電電力量ポイント、充放電効率ポイント及び積算充電電力量ポイント）の加算が用いられているが、これに限定するものではない。具体的には、所定の演算としてポイントの減算や乗算等が用いられてもよい。
【０２１２】
また、均等モードが実行された場合におけるＥＭＳ４０による事前設定の処理は、上述の如き内容に限定するものではない。
【０２１３】
以下では、図２０のフローチャート、及び図２１を用いて、均等モードが実行された場合におけるＥＭＳ４０による事前設定の処理のうち、別実施形態に係る第二の事前設定の処理について説明する。なお、図２１は、別実施形態に係る第二の事前設定の処理による各住宅用蓄電池システム２０の放電優先順位の設定の一例（図９の別例）を示した図である。
【０２１４】
なお、別実施形態に係る第二の事前設定の処理において、上述の如き（第一実施形態に係る）第二の事前設定の処理と異なる点は、ステップＳ３１、ステップＳ３２及びステップＳ３３の処理が加わった点である。以下の説明では、第一実施形態に係る第二の事前設定の処理と異なる点について説明し、同様である点については説明を省略する。
【０２１５】
ＥＭＳ４０は、ステップＳ２４の処理を実行した後、ステップＳ３１の処理を実行する。
【０２１６】
ステップＳ３１において、ＥＭＳ４０は、当日の放電優先順位が第１位の住宅用蓄電池システム２０と、ステップＳ２４において設定された翌日の放電優先順位が第１位の住宅用蓄電池システム２０と、が異なるか否かを判断する。
【０２１７】
そして、ＥＭＳ４０は、当日の放電優先順位が第１位の住宅用蓄電池システム２０と、翌日の放電優先順位が第１位の住宅用蓄電池システム２０と、が異なると判断した場合（ステップＳ３１でＹＥＳ）には、ステップＳ２５の処理を行う。これに対して、ＥＭＳ４０は、当日の放電優先順位が第１位の住宅用蓄電池システム２０と、翌日の放電優先順位が第１位の住宅用蓄電池システム２０と、が異ならない（すなわち同一である）と判断した場合（ステップＳ３１でＮＯ）には、ステップＳ３２の処理を行う。
【０２１８】
ステップＳ３２において、ＥＭＳ４０は、ステップＳ２４において設定された放電優先順位が第１位の住宅用蓄電池システム２０が、当日において１日の充放電効率が第１位であるか否かを判断する。
【０２１９】
そして、ＥＭＳ４０は、ステップＳ２４において設定された放電優先順位が第１位の住宅用蓄電池システム２０が、当日において１日の充放電効率が第１位ではないと判断した場合（ステップＳ３２でＮＯ）には、ステップＳ２５の処理を行う。これに対して、ＥＭＳ４０は、ステップＳ２４において設定された放電優先順位が第１位の住宅用蓄電池システム２０が、当日において１日の充放電効率が第１位であると判断した場合（ステップＳ３２でＹＥＳ）には、ステップＳ３３の処理を行う。
【０２２０】
ステップＳ３３において、ＥＭＳ４０は、ステップＳ２４において設定された放電優先順位の入れ替えを行う。具体的には、ＥＭＳ４０は、ステップＳ２４において設定された放電優先順位が第１位の住宅用蓄電池システム２０の当該放電優先順位を第２位とすると共に、放電優先順位が第２位の住宅用蓄電池システム２０の当該放電優先順位を第１位とする。ＥＭＳ４０は、ステップＳ３３の処理の後、ステップＳ２５の処理を行う。
【０２２１】
ここで、図２１に示す一例においては、ステップＳ２４において設定された放電優先順は、第一住宅用蓄電池システム２０１が第１位となっている。また、第一住宅用蓄電池システム２０１は、当日において１日の充放電効率が第１位となっている。
【０２２２】
このような場合、ステップＳ３３の処理によって、放電優先順位が第１位の第一住宅用蓄電池システム２０１の当該放電優先順位を第２位とすると共に、放電優先順位が第２位の第三住宅用蓄電池システム２０３の当該放電優先順位を第１位とする。これによって、ステップＳ２５の処理が行われると、本来であれば（すなわち、ステップＳ３３の処理がなければ）放電モードとなる予定であった第一住宅用蓄電池システム２０１は、停止モードとなる。また、本来であれば（すなわち、ステップＳ３３の処理がなければ）停止モードとなる予定であった第三住宅用蓄電池システム２０３は放電モードとなる。
【０２２３】
以下では、上述の如き処理（ステップＳ３１、ステップＳ３２及びステップＳ３３）を行う理由について説明する。
【０２２４】
図２等に示すように、通常モードが実行された場合、各住宅Ｈの消費電力に対して、複数の住宅用蓄電池システム２０のうち、まず最も下流側に配置された第一住宅用蓄電池システム２１が放電を行う。すなわち、各住宅Ｈの消費電力がそれほど大きくない場合（具体的には、第一住宅用蓄電池システム２１からの放電電力だけで各住宅Ｈの消費電力が賄える場合）には、その他の住宅用蓄電池システム２０は放電を行わないが、当該第一住宅用蓄電池システム２１だけが放電を行う。このような構成においては、第一住宅用蓄電池システム２１の放電電力は、最大放電電力（放電可能な最大の値の電力）に対して比較的小さい場合が多くなる。
【０２２５】
同様に、均等モードが実行された場合、放電優先順位が第１位となった住宅用蓄電池システム２０の放電電力は、最大放電電力に対して比較的小さい場合が多くなる。
【０２２６】
ここで、住宅用蓄電池システム２０の充放電効率は、当該住宅用蓄電池システム２０の放電電力の大きさに応じて変化する。具体的には、住宅用蓄電池システム２０の放電電力が小さいと放電効率が低下するため、当該住宅用蓄電池システム２０の充放電効率も放電電力が小さい場合に低下する。そして、住宅用蓄電池システム２０は、放電電力が所定の値よりも小さいと放電効率が極端に低下するため、充放電効率も極端に低下するという特性を有している。
【０２２７】
このような、住宅用蓄電池システム２０の特性のため、上述の如く、放電優先順位が第１位となった住宅用蓄電池システム２０の放電電力が、最大放電電力に対して比較的小さい場合が多くなると、当該住宅用蓄電池システム２０の充放電効率が極端に低下しているおそれがある。このような場合、住宅用蓄電池システム２０は、充電電力を放電して全て使い切った場合であっても、放電電力量がそれほど多くならないこととなる。また、放電電力量がそれほど多くならないと、積算放電電力量も多くならないため、このような住宅用蓄電池システム２０は、常に放電優先順位が高くなるように設定される。このように、実際には、充電電力を放電して全て使い切っているにもかかわらず、放電優先順位が高く設定されると、この住宅用蓄電池システム２０の充放電量が他の住宅用蓄電池システム２０と比べて過剰となる。
【０２２８】
そこで、本実施形態においては、各住宅用蓄電池システム２０の放電優先順位の設定に１日の充放電効率を考慮するすることにより、単純に積算放電電力量や積算充電電力量を比較しただけでは把握できないような各住宅用蓄電池システム２０の状態（例えば、放電優先順位が第１位となった住宅用蓄電池システム２０の放電電力が、最大放電電力に対して比較的小さい場合が多かった等）を考慮して、当該各住宅用蓄電池システム２０の放電優先順位の設定を行っている。
【０２２９】
具体的には、翌日の放電優先順位が第１位の住宅用蓄電池システム２０が、当日においても放電優先順位が第１位であった場合（ステップＳ３１でＹＥＳ）には、当該第１位の住宅用蓄電池システム２０は他の住宅用蓄電池システム２０と比べて放電し易い状態が継続することとなる。すなわち、このような場合には、前記第１位の住宅用蓄電池システム２０が、他の住宅用蓄電池システム２０と比べて充放電量が過剰となる可能性がある。
【０２３０】
そのため、前記第１位の住宅用蓄電池システム２０が、１日の充放電効率も第１位であった場合（すなわち、１日の充放電効率が他の住宅用蓄電池システム２０と比べて最も低かった場合）（ステップＳ３２でＹＥＳ）には、単純に積算放電電力量や積算充電電力量を比較しただけでは把握できないような各住宅用蓄電池システム２０の状態（例えば、放電優先順位が第１位となった住宅用蓄電池システム２０の放電電力が、最大放電電力に対して比較的小さい場合が多かった等）があると見做している。
【０２３１】
そして、当初の設定（ステップＳ２４の処理）において放電優先順位が第１位の住宅用蓄電池システム２０の当該放電優先順位を第２位とし、当初の設定（ステップＳ２４の処理）において放電優先順位が第２位の住宅用蓄電池システム２０の当該放電優先順位を第１位とすることにより、前記第１位の住宅用蓄電池システム２０と他の住宅用蓄電池システム２０との充放電量の均等化を図っている。
【０２３２】
このように、本実施形態に係る電力供給システム１においては、
前記ＥＭＳ４０（制御部）は、
前記一の蓄電池システム２０の充放電効率が複数の前記蓄電池システム２０の中で最も悪い場合には、前記停止モードである前記その他の住宅用蓄電池システム２０のうち、前記優先順位の最上位の前記住宅用蓄電池システム２０を前記放電モードとするものである。
【０２３３】
このような構成により、単純に積算放電電力量や積算充電電力量を見ただけでは把握できないような各住宅用蓄電池システム２０の状態を考慮して、当該各住宅用蓄電池システム２０の放電優先順位の設定を行うことができるため、複数の住宅用蓄電池システム２０における充放電量の偏りをより効果的に解消させることができる。
【０２３４】
なお、本実施形態においては、翌日の放電優先順位が第１位となった住宅用蓄電池システム２０が他の住宅用蓄電池システム２０と比べて１日の充放電効率が最も低かった場合（ステップＳ３２でＹＥＳ）に、当初の設定において放電優先順位が第１位の住宅用蓄電池システム２０と第２位の住宅用蓄電池システム２０の最終的な放電優先順位を入れ替えているが、これに限定するものではない。例えば、当初の設定において放電優先順位が第１位の住宅用蓄電池システム２０は、最終的な放電優先順位が第３位以下となってもよい。
【符号の説明】
【０２３５】
１      電力供給システム
２０    住宅用蓄電池システム
３０    共用蓄電池システム
４０    ＥＭＳ
Ｈ      住宅
Ｓ      系統電源
【図１】
2018023260.tif 000003
【図２】
2018023260.tif 000004
【図３】
2018023260.tif 000005
【図４】
2018023260.tif 000006
【図５】
2018023260.tif 000007
【図６】
2018023260.tif 000008
【図７】
2018023260.tif 000009
【図８】
2018023260.tif 000010
【図９】
2018023260.tif 000011
【図１０】
2018023260.tif 000012
【図１１】
2018023260.tif 000013
【図１２】
2018023260.tif 000014
【図１３】
2018023260.tif 000015
【図１４】
2018023260.tif 000016
【図１５】
2018023260.tif 000017
【図１６】
2018023260.tif 000018
【図１７】
2018023260.tif 000019
【図１８】
2018023260.tif 000020
【図１９】
2018023260.tif 000021
【図２０】
2018023260.tif 000022
【図２１】
2018023260.tif 000023